(57)【要約】【課題】  必要なときに個人でも簡単に利用することができるとともに、筋の異常緊張あるいは異常収縮を防止することができ、健康の維持および増進が図る椅子を提供する。【解決手段】  椅子１を、使用者が着座する着座部１０、着座部１０を支持する脚体２０、背凭れ部３０、および補助脚体４０を備えて構成する。補助脚体４０は、前部補助脚４２と後部補助脚４３とを備え、背凭れ部３０を着座部１０に対して起伏可能とし、補助脚体４０の前部補助脚４２には、椅子１の使用者が上記着座部１０に着座したとき両足首から先を絡めて掛止する横棒４４を設け、後部補助脚４３を、使用者が上記着座部１０に着座し、後方に倒した背凭れ部３０に上半身を凭れかけたとき、使用者が後方に倒れないように傾斜状に形成する。【選択図】  図２
2006192069.tif 000002
【特許請求の範囲】
【請求項１】
使用者が着座する着座部１０と、この着座部１０を支持する脚体２０と、上記着座部１０の後端部に設けられた背凭れ部３０とを備えた椅子に於いて、
上記背凭れ部３０が上記着座部１０に対して起伏可能とされ、
上記着座部１０には、その前部側に配置された前部補助脚４２および後部側に配置された後部補助脚４３から成る補助脚体４０が設けられ、
上記補助脚４２は、椅子１の使用者が上記着座部１０に着座したとき両足首の甲の部分を掛止する掛止部４４を有し、
上記後部補助脚４３は、その下端部が上記前部補助脚４２から離れる方向に傾いた傾斜状に形成され、使用者が上記着座部１０に着座するとともに、後方に倒した上記背凭れ部３０に上半身を凭れかけたとき、使用者が後方に倒れないようになっていることを特徴とする椅子１。
【請求項２】
上記背凭れ部３０の上部にはヘッドレスト５０が着脱可能に設けられるとともに、このヘッドレスト５０の使用者側に向く前面には当該前面から外方に突出し使用者の頚椎を押圧する凸形筋押圧具５１が設けられ、この凸形筋押圧具５１は、縦方向に列設した複数個が横方向に並設配置され、上記背凭れ部３０の側面にはアームレスト６０が揺動可能に設けられ、このアームレスト６０は、上記着座部１０と略平行に維持されかつ使用者が前頭部を載せることができるアーム部６１を有していることを特徴とする請求項１に記載の椅子１。
【請求項３】
上記凸形筋押圧具５１は、横方向の間隔が調整可能となっていることを特徴とする請求項２に記載の椅子１。
【請求項４】
上記背凭れ部３０の下部裏面側にはベルト収容箱３１が設けられ、このベルト収容箱３１には、椅子１の使用者が上記着座部１０に着座したとき、使用者の腹部を巻付けて使用者を上記着座部１０に固定する伸縮自在のベルト３２が収容されていることを特徴とする請求項１ないし請求項３のいずれかに記載の椅子１。
【請求項５】
上記着座部１０の前部裏面には紐収容箱１１が設けられ、この紐収容箱１１には、椅子１の使用者が上記着座部１０に着座したとき、使用者の両膝上部を着座部１０に拘束した状態で固定する紐部材１２が収容されていることを特徴とする請求項１ないし請求項４のいずれかに記載の椅子１。
【請求項６】
上記補助脚体４０の上記前部補助脚４２および上記後部補助脚４３は、それぞれ折畳み可能となっていることを特徴とする請求項１ないし請求項５のいずれかに記載の椅子１。
【発明の詳細な説明】
【技術分野】
【０００１】
本発明は、椅子に係り、更に詳しくは、筋系（筋機能）の働きを誘発し、筋肉と骨格関節とを正常に整えることで自然体を得ることができ、その結果、健康維持および健康増進を図れる椅子に関する。
【背景技術】
【０００２】
従来、各種疾患の治療法として筋系帯療法を代表とする種々の治療法が知られている。この筋系帯療法について概略説明すると、各種疾患は人体の骨格が左右非対称となることによって起こるとするものであり、上記骨格を人体の左右で対象とすることで人体の各種疾患を治療するものである。この筋系帯療法は多くの臨床例によって各種の疾患に対して治療効果があることが確認されている。
【０００３】
上記筋系帯療法によると、人体の骨格は筋肉および靭帯（以下、単に筋と記載する）と繋がれており、この筋により骨格を保持したり、動かしたりすることができるものであるとされている。そして、筋が緊張して収縮した場合、再び弛緩することができなくなる。すなわち、異常緊張あるいは異常収縮することがある。この筋の異常緊張あるいは異常収縮が、人体の左右で非対称に偏在することにより、人体の骨格が左右非対称となるとされている。
【０００４】
そこで、本出願人は、圧痛点による左右対称および左右非対象型測定用図表を利用して、各種疾患の治療の前段階として被検査者の人体の左右対称性を測定する発明を提案した（例えば、特許文献１参照）。
【０００５】
この特許文献１によれば、被検査者の左右対称性および左右非対称性を容易に、かつ正確に求めることができ、その検査結果に基づいて治療を施すことができる。
【０００６】
【特許文献１】特公平５−５６９０１号公報
【発明の開示】
【発明が解決しようとする課題】
【０００７】
しかし、上記特許文献１では、圧痛点による左右対称および左右非対象型測定用図表を利用して、各種疾患の治療の前段階として被検査者の人体の左右対称性を測定しているが、治療そのものに利用できるものではない。
一方、筋を伸ばしたり、マッサージしたりする治療院があるが、通院のための時間や費用等がかかったり、治療者の能力の個人差があることから気軽に利用できないものである。
そのため、必要なときに、簡単に利用することができる椅子を利用して、個人でも容易に、筋の異常緊張あるいは異常収縮を防止することができ、健康に役立てることができるようなものが要望されている。
【０００８】
本発明の目的は、必要なときに個人でも簡単に利用することができるとともに、筋の異常緊張あるいは異常収縮を防止することができ、健康の維持および増進を図る椅子を提供することを目的とする。
【課題を解決するための手段】
【０００９】
上記の目的を解決するために、本発明の請求項１に記載の椅子１は、使用者が着座する着座部１０と、この着座部１０を支持する脚体２０と、上記着座部１０の後端部に設けられた背凭れ部３０とを備えた椅子に於いて、上記背凭れ部３０が上記着座部１０に対して起伏可能とされ、上記着座部１０には、その前部側に配置された前部補助脚４２および後部側に配置された後部補助脚４３から成る補助脚体４０が設けられ、上記前部補助脚４２は、椅子１の使用者が上記着座部１０に着座したとき両足首の甲の部分を掛止可能な掛止部４４を有し、上記後部補助脚４３は、その下端部が上記前部補助脚４２から離れる方向に傾いた傾斜状に形成され、使用者が上記着座部１０に着座するとともに、後方に倒した上記背凭れ部３０に上半身を凭れかけたとき、使用者が後方に倒れないようになっていることを特徴とする椅子である。
上記の椅子によれば、使用者が骨盤を水平にして着座部に着座し、足首の甲を補助脚体における前部補助脚の掛止部に引掛けておいて、上半身を反らして、後方に所定角度倒した状態の背凭れ部に上半身をあずけるようにして使用される。
【００１０】
本発明の請求項２に記載の椅子１は、上記背凭れ部３０の上部にはヘッドレスト５０が着脱可能に設けられるとともに、このヘッドレスト５０の使用者側に向く前面には当該前面から外方に突出し使用者の頚椎を押圧する凸形筋押圧具５１が設けられ、この凸形筋押圧具５１は、縦方向に列設した複数個が横方向に並設配置され、上記背凭れ部３０の側面にはアームレスト６０が揺動可能に設けられ、このアームレスト６０は、上記着座部１０と略平行に維持されかつ使用者が前頭部を載せることができるアーム部６１を有していることを特徴とする椅子である。
上記の椅子によれば、ヘッドレストの凸形筋押圧具で、頚椎両側の胸鎖乳突筋と後頭部とを自分自身で強さを加減して押圧させる。また、凸形筋押圧具は、必要に応じて椅子から取り外して単独で使用される。例えば部屋の中に凸形筋押圧具を置いて、仰向けになった使用者が、頭部と頸部とを乗せて、左右に振りながら、自分で強さを加減しながら使用される。さらに、レストアームは、アーム部を所定の高さ位置に調整して固定し、使用者が前頭部を、水平アーム部に乗せて使用される。
【００１１】
本発明の請求項３に記載の椅子１は、上記凸形筋押圧具５１が、横方向の間隔が調整可能となっていることを特徴とする椅子である。
上記の椅子によれば、使用者の体格差に応じて凸形筋押圧具の横方向の間隔が調整される。
【００１２】
本発明の請求項４に記載の椅子１は、上記背凭れ部３０の下部裏面側にはベルト収容箱３１が設けられ、このベルト収容箱３１には、椅子１の使用者が上記着座部１０に着座したとき、使用者の腹部に巻付けて使用者を上記着座部１０に固定する伸縮自在のベルト３２が収容されていることを特徴とする椅子である。
上記の椅子によれば、ベルト収容箱から引出されたベルトは、椅子の着座部に着座した使用者の腹部に巻付け固定するように使用される。
【００１３】
本発明の請求項５に記載の椅子１は、上記着座部１０の前部裏面には紐収容箱１１が設けられ、この紐収容箱１１には、椅子１の使用者が上記着座部１０に着座したとき、使用者の両膝上部を着座部１０に拘束した状態で固定する紐部材１２が収容されていることを特徴とする椅子である。
上記の椅子によれば、紐収容箱から引出された紐部材は、椅子の着座部に座
した使用者の両膝上部を着座部１０に拘束した状態で固定する。
【００１４】
本発明の請求項６に記載の椅子１は、上記補助脚の上記前部補助脚４２および上記後部補助脚４３は、それぞれ折畳み可能となっていることを特徴とする椅子である。
上記の椅子によれば、前部補助脚および後部補助脚は健康増進用等のために使用せずに、通常の椅子として使用したいときは折畳まれる。
【発明の効果】
【００１５】
本発明は以下の効果を奏する。
【００１６】
請求項１に記載の発明によれば、人体の前側の筋肉と靭帯とが全身的に伸展されると同時に、後側の筋肉と靭帯とが弛緩される。その結果、筋系（筋機能）の働きが誘発され、筋肉と骨格関節とが正常に整えられるので、例えば手を挙げた状態から急に力を抜いて手を下ろした瞬間に生ずる脱力感が得られ、自然体が得られる。また、筋の異常緊張あるいは異常収縮を防止することができるので、疲労回復を図ることができ、筋肉の疲労をとり、血流をよくし、神経痛や筋肉痛を緩和する等、健康の維持および増進が図れるようになる。
【００１７】
請求項２に記載の発明によれば、後頭部と頚椎両側の筋肉の異常緊張と硬縮とを弛緩させることができるので、筋肉を改善させることができる。また、肩甲間部と脊椎両側の筋肉を押圧することができるので、局所の筋肉の異常緊張と硬縮とを弛緩させることができ、筋肉を改善することができる。さらに、前頭部を水平アーム部に載せ、首と肩の筋肉を瞬間脱力して軽く目をつぶると、首と後背筋とが伸展するので、脳内と首と後背部の筋肉の緊張が消滅し、睡眠が誘発される。
【００１８】
請求項３に記載の発明によれば、使用者の体格差に柔軟に対応することができる。
【００１９】
請求項４に記載の発明によれば、ベルトを腹部に巻付けることで、腹圧運動を強化することができる。
【００２０】
請求項５に記載の発明によれば、両膝が開かないので、股関節を正常な位置に維持することができ、股関節の大腿骨股頚軸の角度が日本人の基準の角度になるように、筋肉と靭帯とを整えることができる。また、紐部材で使用者の両膝上部を縛って拘束したとき、膝関節が外反角（Ｘ型）となるために、内反角（Ｏ型）になっている膝関節の人は、内側の関節面が開くことになり、膝関節の変形を改善し、予防することが可能となる。その結果、膝関節痛の改善と美脚になることができる。
【００２１】
請求項６に記載の発明によれば、前部補助脚および後部補助脚をそれぞれ折畳んだとき、それらの補助脚が邪魔にならないので、椅子を通常の状態で使用することができ、特に、キャスタを取付けてあれば、任意の方向に容易に移動することができる。
【発明を実施するための最良の形態】
【００２２】
本発明の一実施例を以下に説明する。
【実施例】
【００２３】
図１〜図９には椅子１の一実施例が示されている。図１は本発明に係る椅子の一実施例を示す全体斜視図、図２は上記実施例の全体側面図、図３は上記実施例の要部を示す斜視図、図４は、椅子の一実施例として肘掛けのヒンジ部を示す部分拡大斜視図、図５（Ａ）は肘掛けのストッパ部材を示す詳細構造を示す拡大断面図、（Ｂ）は肘掛けのヒンジ部を示す部分拡大正面図、図６は上記実施例の要部を示す正面側から見た斜視図、図７は上記実施例の要部を示す裏面側から見た斜視図、図８（Ａ）はヘッドレストを引上げた状態を示す説明図、（Ｂ）はヘッドレストを押し下げた状態を示す説明図、図９は上記実施例の他の要部を示す斜視図である。
【００２４】
図１、図２に示すように、椅子１は、使用者が着座する着座部１０と、この着座部１０を支持する脚体２０と、着座部１０の後端部に設けられ使用者の背中を支える背凭れ部３０と、着座部１０の下面にもうけられる補助脚体４０とを備えて構成されている。
【００２５】
着座部１０は平坦状に形成された筐体（不図示）を備え、この筐体を布や合成樹脂等で包み込んで本体部１１Ａが形成され、この本体部１１Ａの表面部１１Ｂは、例えば合成皮革等で覆われており、着座部１０の左右両側の側面には、肘掛け１３が設けられている。
【００２６】
肘掛け１３は、詳細は後述するがヒンジ（図３、図４参照）を介して下方に折り畳み可能に構成されており、背凭れ部３０の上端には底面２８を有する収納溝２７が設けられており、この収納溝２７を設けることによってヘッドレスト５０（後述する）が下方に移動できるようになっている。
【００２７】
上記脚体２０は、上記着座部１０を受ける受部２１と、この受部２１の下面から下方に延びた脚柱２２と、この脚柱２２の下端から下方側四方に延びた支持脚２３と、これらの支持脚２３の下面に取付けられたストッパ付キャスタ２４とから構成され、上記補助脚体４０を使用していないときは、全方向に移動可能となっている。受部２１は、合成樹脂等で例えばお椀形に形成され、上記着座部１０の裏面に固着されている。
【００２８】
図３に示すように、上記補助脚体４０は、例えば丸パイプで枠組み形成されており、平面四角枠状の上枠４１と、この上枠４１の一辺両角部から下方に延びた２本の前部補助脚４２と、上枠４１の他の一辺両角部から下方に延びた２本の後部補助脚４３とを含み構成されている。
【００２９】
前部補助脚４２および後部補助脚４３は、それぞれ正面視で２本の下端部が上端部に対して拡開したハ字状に形成されている。また、前部補助脚４２と後部補助脚４３も、外側に拡開した側面視ハ字状に形成されており、特に後部補助脚４３の下端側は、上端側に対して前部補助脚４２から離れる方向に傾いており、着座部１０の上枠４１に対する開き角度αは例えば１００度〜１２０度の範囲で形成されている。
【００３０】
一対の前部補助脚４２，４２間には、掛止部である横棒４４が横架されており、この横棒４４に、使用者が着座部１０に着座した状態で足首から先を横棒４４の下を通して絡めることができるようになっている。この横棒４４には、図示しないがラバー等が被覆されており、足首から先を絡めたとき痛みのないように構成されている。また、横棒は一対の前部補助脚４２，４２の開きを防止する補強材を兼ねている。一対の後部補助脚４３，４３間にも補強用の横棒４４が横架されている。
【００３１】
以上のような補助脚体４０は、着座部１０の筐体裏面に上枠４１をねじ止め等により取付けられており、補助脚体４０の前部補助脚４２は、ヒンジ機構４６により後部補助脚４３側に折畳み可能とされ、後部補助脚４３は、ヒンジ機構４６により背凭れ部３０側に折畳み可能とされている。そして、前部補助脚４２および後部補助脚４３は、折畳まれたとき着座部１０の裏面ないし背凭れ部３０の裏面に、それぞれ図示しない保持具により保持されている。
【００３２】
上記背凭れ部３０は、ラチェット機構、ばね等の付勢手段等を利用した公知の構成により、図２に示すように、ほぼ水平な着座部１０に対して、Ａ位置の垂直位置から、例えば３０度毎にＢ，Ｃ位置に３段階に起伏位置が調整可能となっている。なお、上記背凭れ部３０の起伏は水平状態まで傾動させても良く、段階ごとでなく連続的に傾動させることもできる。
【００３３】
図４及び図５（Ｂ）には、肘掛け１３のヒンジ部３４が示されており、ヒンジ部３４は、着座部１０の両側端に設けた肘掛け１３を垂直な起立位置から着座部１０の下方に折り畳み可能に構成している。このヒンジ部３４は、公知の例えば兆番により着座部１０両側の下面と肘掛け１３の下端面を回動可能に接続している。
【００３４】
図５（Ａ）には、肘掛け１３のストッパ部材３５を示す詳細構造が示されており、ストッパ部材３５は、両肘掛け１３前方のヒンジ部３４近傍に設けられており、次のように構成されている。
【００３５】
着座部１０の両側端面には、平面視Ｌ字形のブラケット３５が固定されており、このブラケット３５一端の折曲部には、嵌挿孔３６Ａを穿設したブロック体３６が溶接またはネジなどで固定されており、この嵌挿孔３６Ａには大径の軸体３８が前後方向に移動可能に挿通保持されている。
【００３６】
軸体３８の後端（図５（Ａ）の右側）には、細径の係止軸３８Ａが形成されるとともに前方（図５（Ａ）の左側）には細径の操作軸３８Ｂが形成され、この操作軸３８Ｂは、ブラケット３５の前面に固定されたコ字形板状のホルダ４７の挿通孔に挿通支持されている。ホルダ４７の内側には、操作軸３８Ｂを挿通したスプリングＳＰが内装されており、このスプリングＳＰは、ホルダ４７の内壁に対して軸体３８の前方に形成された段付き部を後方に押圧付勢している。
【００３７】
操作軸３８Ｂの前端には、例えばピンなどを介して摘み４８が取付けられており、摘み４８は、スプリングＳＰの作用で後方へ付勢される軸体３８の移動を、この摘み４８とホルダ４７と当接により規制している。
【００３８】
軸体３８後端の係止軸３８Ａは、両肘掛け１３が垂直状態に起立したとき両肘掛け１３の下端前面に埋め込まれた孔付きブッシュ３８の位置決め孔３９Ａに対応しており、スプリングＳＰの付勢力により挿嵌できるように構成されている。
【００３９】
このように構成することで、両肘掛け１３は、ストッパ部材３５の作用で垂直な起立状態に維持されており、摘み４８を前方に引くことにより係止軸３８Ａがブッシュ３８の位置決め孔３９Ａから抜出されることで、両外側に回動し着座部１０の略垂直下方に倒れる。
【００４０】
図６、図７にはヘッドレスト５０が示されており、このヘッドレスト５０は、背凭れ部３０の上部裏面に上下に移動可能、且つ着脱可能に設けられている。
このヘッドレスト５０は、前面に複数の凸形筋押圧具５１を取付けた本体５２を備えており、この本体５２の下部にはスライド部５２Ａが形成されている。スライド部５２Ａの厚さは、本体５２の厚さより薄く形成されている。
【００４１】
そして、ヘッドレスト５０の本体５２は、図８の（Ａ）、（Ｂ）に示すように、背凭れ部３０の上端に形成された凹溝２７内で下方へ移動可能となっており、最下部まで移動したときは少なくとも本体５２の上端面までは挿入可能であって、上記本体５２とスライド部５２Ａとの段差部５２Ｂが背凭れ部３０の凹溝２７底面２８に載せられた状態で保持される。この位置でヘッドレスト５０は上記と同様に固定具５７固定することができる。
【００４２】
このように、ヘッドレスト５０の本体５２を凹溝２７内まで下降させることで、凸形筋押圧具５１が使用者の首の頚部だけではなく、背中の脊柱両側の筋も押圧することができる。
【００４３】
詳しくは、凸形筋押圧具５１は、上述のように、本体５２の前面に設けられ、縦方向に２列に３個ずつ所定間隔をおいて配置されている。凸形筋押圧具５１は、軸部５１Ａの一端に先端が丸くなったどんぐり状の押圧部を呈し、これら凸形筋押圧具５１は、使用者の頚椎から肩の上部に押し当てられ、頚椎等を押圧できるようになっており、この凸形筋押圧具５１は、その軸部５１Ａを本体５２の所定位置に形成された嵌合孔に挿嵌されて取付けられている。なお、凸形筋押圧具５１は、大きさが異なる複数種類が準備され、体格差等に対応して適宜使い分けできるようにすることもできる。
【００４４】
ヘッドレスト５０の本体５２の上端部には、後頭部を押当てる枕５３が設けられている。この枕５３は、表面がビニール、あるいは合成皮革等で覆われて
丸みを帯びた矩形状に形成され、その内部には布や綿等が収容されている。そして、この枕５３は、前面が本体５２の前面からわずかに後方位置に設けられ、後頭部を枕５３に押し当てた状態でも、頚椎等が凸形筋押圧具５１に確実に当るようになっている。
【００４５】
ヘッドレスト５０は、前述のように、背凭れ部３０に対して着脱可能となっている。すなわち、図６に詳細を示すように、背凭れ部３０の上部裏面には、取付け部材５５が固着されており、この取付け部材５５には、縦方向に背凭れ部側のみが開口する溝５５Ａが形成されており、溝５５Ａの上方には３個の貫通孔５５Ｂが背凭れ部３０側に向けて形成され、これらの貫通孔５５Ｂは、ヘッドレスト５０を固定する固定具５７のネジ軸５７Ａが挿通可能となっている。
【００４６】
これに対して、ヘッドレスト５０のスライド部５２Ａは、上記溝５５Ａにスライド自在に嵌込むようになっている。ヘッドレスト５０の背面には、例えば３個の挿通ネジ孔５５Ｂが縦方向に所定間隔で螺設されている。これらの挿通
孔５２Ｂは、それぞれの位置で上記取付け部材５５の１個の挿通孔５２Ｂと一致するようになっており、これら３個の貫通孔５２Ｂを挿通した固定具５７のネジ軸５７Ａは、ヘッドレスト５０の背面に螺設した３個の挿通ネジ孔５５Ｂの何れか１つと選択的に螺合できるように構成されている。
【００４７】
固定具５７は、上記ネジ軸５７Ａとその先端の摘み部５７Ｂとで形成され、ネジ軸５７Ａには雄ねじが螺設されている。そして、このねじをヘッドレスト５０の背面に螺設した３個の挿通ネジ孔５５Ｂに選択的に螺合することで、ヘッドレスト５０の高さ位置を調整可能として固定することができる。
【００４８】
なお、３個の挿通孔５２Ｂを１個のネジ孔として形成すれば、この挿通孔５２Ｂにネジ軸５７Ａを螺合してヘッドレスト５０の背面を押圧することで、任意の高さ位置にヘッドレスト５０をネジ軸５７Ａの押し付け力で固定することができる。
【００４９】
背凭れ部３０の一方側側面の上部には、図９に詳細を示すように、アームレスト６０が取付けられている。アームレスト６０は、例えば角パイプ部材で形成され、水平アーム部６１とその先端の枕６２とを含み構成されている。水平アーム部６１は、上記着座部１０と略平行なアーム部６１Ａと、背凭れ部３０の一方側側面に取付けられる支持部６１Ｂとを有して平面視Ｌ字状に形成されている。
【００５０】
枕６２は、内部に布、綿等を詰め込んだビニールまたは合成皮革等で形成されており、椅子１の使用者が、前頭部、つまり額を乗せたとき、心地よい感触が得られるようになっている。また、枕部の内部にはイヤホン６４が設けられており、スイッチを押すことで、例えば腹式呼吸を誘導する話しが聞けるようになっている。そのため、その話しを聞いていることで脳のリラックスを図ることができる。なお、癒し系の音楽等を聴けるようにしてもよい。
【００５１】
アームレスト６０の上記支持部６１Ｂは、取付け具６５によって背凭れ部３０の側面に、上下方向に揺動可能に取付けられている。取付け具６５は、摘み部６５Ａと軸部６５Ｂとで形成され、支持部６１Ｂにあけられた貫通孔６１Ｃに、軸部６５Ｂを嵌入させ、軸部６５Ｂの先端部に形成された雄ねじを、背凭れ部３０に螺設された図示しない雌ねじに螺合させて固定するようになっている。
【００５２】
このとき、軸部６５Ｂには、支持部６１Ｂを挟んで配置されたバネ座金６６が介在されており、摘み部６５Ａを僅かに回して取付け具６５を緩めても、取付け具６５は背凭れ部３０から外れないようになっている。したがって、取付け具６５を緩めてアームレスト６０を上下方向に揺動させることができ、アームレスト６０は取付け具６５を締め込むことで所定の位置で固定することができる。
【００５３】
図１、図２に戻って、上記背凭れ部３０の下部における裏面にはベルト収容箱３１が設けられており、このベルト収容箱３１には、例えば車のシートベルトと同様に伸縮自在のベルト３２が引出し自在に収容されている。ベルト３２は、背凭れ部３０の裏面から左右に引出され、それぞれの端部に装着されたバックル３３を係合させることで、着座部１０に着座した使用者の腹部に巻付けることができるようになっている。なお、バックル３３の位置も使用者の体格に対応させて調整することができる。
【００５４】
また、後述する図１０に示すように、上記着座部１０のやや前方側裏面には、紐収容箱１１が設けられており、この紐収容箱１１には、紐部材として、上記ベルト３２と同様のベルト１２が引出し自在に収容されている。ベルト１２は、着座部１０の裏面から左右に引出され、着座部１０に着座した使用者の２本の膝上に回した後、それぞれの紐の先端を引出した方向とは反対側の膝部の裏側を互いに交差させて再度膝上まで回し、そこでベルト１２を結び、使用者の２本の膝を着座部１０に、ひいては椅子１に固定させることができるようになっている。
【００５５】
なお、使い方は自由であり、着座部１０の裏面から左右に引出されたベルト１２を、膝上で直接バックル３３で係合させてもよい。また、紐部材としては、例えば木綿製の紐で形成してもよい。
【００５６】
次に、以上のような構成の椅子１の使用方法を、図１０〜図１３に基づいて図１４〜図２１の人体骨格図を併せて参照しながら説明する。
【００５７】
図１０は、第１の使用方法として、背凭れ部３０を、着座部１０に対して所定角度（例えば１５０度）倒して使用した状態、図１１は、第２の使用方法として、背凭れ部３０を起こしておいてアームレスト６０を使用した状態、図１２は、第３の使用方法として、背凭れ部３０を例えば１２０度に倒して腹筋運動をする状態図である。
【００５８】
図１３は、人体の前側の筋肉を示す。人体の胸部には、胸の筋肉の中心となり、腕の描円運動、腕を外側から中心に向かって引付ける動作等を行なう大胸筋１０１と、大胸筋１０１の下方に位置し、肩甲骨を内下方に引き、肩甲骨が固定されているときは、肋骨を挙上して吸気を助ける小胸筋１０２等があり、体幹部に沿った位置には、腹腔臓器を保護するとともに、腹圧の維持と臓器の位置の固定、さらに腹圧を増し、排便等の動きに働く腹直筋１０３等がある。また、首部には、僧帽筋、頭半棘筋等とともに、頸部を屈曲させ、側屈を回避させる胸鎖乳突筋１０４がある。
【００５９】
図１４は、人体の後側の筋肉を示す。頭部１０５の下部には上記胸鎖乳突筋１０４があり、脊椎１０６の両側には、主に体幹部を伸展（後屈）させる脊椎起立筋１０７が縦走している。肩関節の内展、伸展、内旋動作等を行なう後背筋１０８は、僧帽筋１０９の下方に位置し、後背筋１０８の下方には骨盤１１０がある。
【００６０】
図１５は、大腿部の前側の筋肉を示す。大腿部の上部には、股関節の内旋・外転、膝関節の外旋のような動きに関与し、大腿が固定している場合は、骨盤を後方に引いて体を直立の姿勢に保つ働きをする大腿筋膜張筋１１１があり、そのすぐ近くには、股関節の屈曲、膝関節の伸展等を行なう大腿直筋１１２がある。
【００６１】
図１６は、大腿部の後側の筋肉を示す。臀部の部位には、臀部を覆うとともに、股関節を伸展、外転、内旋等をさせる大臀筋１１３があり、その下方には、主に股関節の伸展、膝関節の屈曲等に働く大腿二頭筋１１４がある。
【００６２】
図１７は、腰部の筋肉を示す。骨盤１１０を含む腰部には腸腰筋１１５があり、腸腰筋１１５は大腰筋１１７、小腰筋１１８を含む。この腸腰筋１１５は、人体前面の大腿直筋１１２と大腿筋膜張筋１１１を伸展し、同時に腹直筋１０３と腹筋、胸筋と前頚筋等を伸展させる働きをする。
【００６３】
図１８は、大腿骨頭股頚軸と大腿骨との関係を示す。大腿骨１１９の大腿骨頭股頚軸１２０は、骨盤１１０に、水平に対して角度βで嵌り合っている。この角度βは約１３０度であり、立位姿勢の日本人の基準角度である。
【００６４】
図１９は、膝関節を示す。図１９（Ａ）では、膝関節が、関節頭１２１と関節窩１２２とが互いに外側に向いた外反角（Ｘ型）となっている。これに対して図１９（B）では、内反角（Ｏ型）になっている膝関節を改善した場合で、正常な関節頭１２１と関節窩１２２との位置を示す。
【００６５】
まず、図１０を参照して第１の使用方法を説明する。
【００６６】
体を大きく伸展させたいときは、補助脚体４０の前部補助脚４２と後部補助脚４３とを開くとともに、背凭れ部３０を起こしておいて、使用者が椅子１に骨盤が水平になるように着座し、腹部にベルト３２を巻付けて背凭れ部３０に固定し、ベルト１２で膝を巻いて着座部１０に固定する。
【００６７】
次いで、足首から先を図１０に２点鎖線で示すように、前部補助脚４２の内側に入れて横棒４４の下方を通して外側へ出し横棒４４に絡める。この状態で、背凭れ部３０を例えば１５０度位まで倒し、上半身を大きく反らして伸展させる。この際、腹式呼吸を行なうと好適である。
【００６８】
上半身を大きく反らして伸展させると同時に、凸形筋押圧具５１で、図１４に示す頚椎両側の胸鎖乳突筋１０４と後頭部１０５とを、自分で頭部と頸部とを左右に振りながら、強さを加減して押圧する。また、図１５〜図１７に示す大腿直筋１１２と大腿筋幕直筋１１１とを伸展させ、腸腰筋１１５と腹直筋１０３、胸筋等を伸展させ、同時に脊椎前縦靭帯１００を伸展させる。そして、下腹部の筋肉を上方に伸展させて下垂していた腹腔内臓器を引上げ、正常位置に保定させる。一方、体の後面の脊椎起立筋１０７と後背筋１０８等を弛緩させる。
【００６９】
以上のような実施形態の第１の使用方法によれば、次のような効果が得られる。
【００７０】
（１）椅子１に着座し、足首から先を前部補助脚４２の内側に入れて横棒４４の下方を通し外側へ出し横棒４４に絡める。この状態で、上半身を後方に反らすと、人体の前側の大腿直筋１１２、大腿筋膜張筋１１１、腸腰筋１１５、腹直筋１０３、大胸筋１０１等の筋肉と、脊椎前縦靭帯１００等の靭帯とが全身的に伸展すると同時に、人体の後側の脊椎起立筋１０７、後背筋１０８等の筋肉と靭帯とを弛緩させ、筋系の働きを誘発する。その結果、筋肉と骨格関節が正常に整えられるようになり、疲労回復を図ることができ、筋肉の疲労をとり、血流をよくし、神経痛や筋肉痛を緩和する等、健康の維持と増進とを図ることができる。
【００７１】
（２）椅子１に着座し、足首から先を横棒４４の下を通して横棒４４に絡めた状態で、上半身を後方に反らすと、人体の前側の各種筋肉と、靭帯とが全身的に伸展するので、下腹部の筋肉を上方に伸展させて下垂していた腹腔内臓器が引上げられ、正常位置に保定させることができる。その結果、下腹部とウェストが細くなり、スタイルがよくなる。
【００７２】
（３）上半身を後方に反らすことにより、全身的に前側筋と脊椎前縦筋靭帯１００が伸展されると、胸部が開きやすくなり、両肩を後に引きやすくなるために、両肩関節と両肩甲骨の可動域が正常になる。その結果、両肩と後背筋１０８とが弛緩し、筋肉の異常緊張と硬縮や偏在がなくなり、正常な筋肉に戻るため、血液やリンパ液の流れがよくなり、頭痛や吐き気までも催すほどの極めて重症な肩こりが改善される。また、コンピュータ社会における目や脳、両腕の疲れ、催眠苦、頭が重い、首や肩の凝り、円背になる等を総称する仮称「コンピュータ症候群」を改善することができる。
【００７３】
（４）椅子１の背凭れ部３０の下部にある伸縮自在のベルト３２を使用者の腹部に巻付けることができるので、巻付けた状態で、腹式呼吸を行ないながら上半身を伸展させると、腹圧運動を強化することができる。
【００７４】
（５）椅子１の着座部１０に着座して、ベルト１２で使用者の両膝上部を縛った状態で、上半身を後に反らすと、両膝が開かないので、股関節を正常な位置に維持することができ、図１８に示すように、股関節の大腿骨股頚軸１２０に対する大腿骨１１９の角度を日本人の基準とされている１３０度の角度になるように、筋肉と靭帯とを整えることができる。その結果、股関節を正常な状態に維持することができる。
【００７５】
（６）椅子１の着座部１０に着座したとき、両膝はベルト１２で縛られているので、図１９に示すように膝関節が外反角（Ｘ型）となる。したがって、内反角（Ｏ型）になっている膝関節の場合には、内側の関節面が開くので、膝関節の変形が改善され、予防することが可能となる。その結果、膝関節痛の改善と美脚になることができる。
【００７６】
（７）補助脚体４０の前部補助脚４２と後部補助脚４３とを折畳んでおけば、補助脚体４０が邪魔とならず、また、脚体２０にキャスタ２４が取付けられているので、容易に全方位に移動することができるとともに、一般事務用椅子として、また家庭用椅子として使用することができる。
【００７７】
（８）補助脚体４０は、後付で通常の椅子に取付けることができる。したがって、いつでも、かつどこでも使用することができる椅子に補助脚体４０を取付けることで、通常の椅子を、容易に健康維持のための椅子１として改良することができ、また、使用することができる。
【００７８】
（９）使用者は、椅子１に着座し、足首の甲を横棒４４に引掛けておいて、上半身を後方に反らし、上半身を倒されている背凭れ部３０にあずけるだけで使用することができるので、一般事務，民間療法、癒しと美容目的の業界、フィットネスクラブ、会社の福利厚生用等として利用することができ、また、小学生から老齢者まで容易に使用することができる。
【００７９】
次に、図１１に基づいて第２の使用方法を説明する。
【００８０】
補助脚体４０の前部補助脚４２と後部補助脚４３とを開くとともに、背凭れ部３０を起こしておいて、使用者が椅子１に骨盤が水平になるように着座し、腹部にベルト３２を巻付けて背凭れ部３０に固定し、さらにベルト１２で膝を巻いて着座部１０に固定する。そして、アームレスト６０を揺動させて所定の高さ位置に固定する。その後、前頭部（額）を、アームレスト６０の枕６２の上に乗せて、首と肩の筋肉を瞬間脱力して軽く目をつぶる。このとき、イヤホン６４を耳にはめて、腹式呼吸を誘導する話しを聞くようにする。なお、この状態で足首から先を図１１に２点鎖線で示すように、前部補助脚４２の内側に入れて横棒４４の下方を通し外側へ出し横棒４４に絡めてもよいし、これを絡めずにただ下ろしておくだけでもよい。
【００８１】
以上のような実施形態の第２の使用方法によれば、上記（４）、（６）〜（９）と同様の効果の他、次のような効果が得られる。
【００８２】
（１０）前頭部（額）を、アームレスト６０の枕６２の上に乗せて、首と肩の筋肉を瞬間脱力して軽く目をつぶると、図１４に示す首と後背筋１０８等が伸展するため、脳内と首と後背部の筋肉の緊張が消滅し、睡眠を誘発することができる。
【００８３】
（１１）前頭部を、アームレスト６０の枕６２の上に乗せた後、イヤホン６４を耳にはめれば、アームレスト６０の枕６２の内部から流れる腹式呼吸の誘導の言葉が聞こえるので、脳のリラックスを図れるとともに、短時間の深い熟睡状態に入ることができる。
【００８４】
（１２）イヤホンの音声による腹式呼吸法の誘導により、下腹部への注意力が一定（集中）し、脳から下腹部へと血流がよくなるために、催眠が起こり睡眠不足を解消し脳をリラックスさせることができるとともに、腹式呼吸法により下腹部の腹直筋が活動するため、呼吸運動と同時に大腸の運動が行なわれ、その結果、便通がよくなる。
【００８５】
次に、図１２を参照して第３の使用方法を説明する。
【００８６】
補助脚体４０の前部補助脚４２と後部補助脚４３とを開くとともに、背凭れ部３０を例えば１２０度まで倒しておいて、使用者が椅子１に骨盤が水平になるように着座し、ベルト１２で膝を巻いて着座部１０に固定する。次いで、足首の甲を前部補助脚４２の横棒４４に引掛ける。その姿勢から、上半身を背凭れ部３０に接触するまで倒し、今度は着座部１０に近づけるように起こし、その動作を繰り返し、腹筋運動を行なう。なお、この運動の際には、ベルト３２は腹部に巻付けず、ベルト収容箱３１内に収容しておく。
【００８７】
以上のような実施形態の第３の使用方法によれば、上記（４）、（６）〜（９）と同様の効果の他、次のような効果が得られる。
【００８８】
（１３）使用者が着座部１０に着座した状態で、背凭れ部３０を所定角度倒しておけば、足首から先を図１２に２点鎖線で示すように、前部補助脚４２の内側に入れて横棒４４の下方を通して外側へ出し横棒４４に絡めて、上半身を倒したり、起こしたりする腹筋運動を行なうことができる。これにより、図１３〜図１７に示す大腿直筋１１２と大腿筋膜張筋１１１とを伸展させたり弛緩させたりする。また、腸腰筋１１５と腹直筋１０３、大胸筋１０１、小大胸筋１０２、脊椎前縦靭帯１００等を伸展させたり弛緩させたりする。これらの運動が繰り返されるので、腹筋の強化、後背筋の強化を図ることができる。さらに、下腹部の筋肉を上方に伸展するために、下垂していた腹腔内臓器が引上げられ、正常位置に保定される。その結果、下腹部とウェストが細くなり、スタイルがよくなる。
【００８９】
なお、本発明は前述の実施例に限定されるものではなく、例えば、上記実施例では、ヘッドレスト５０の凸形筋押圧具５１が一つの本体５２に、縦方向に２列となって３個づつが並んだ構成となっていたが、これに限らず、凸形筋押圧具５１の横方向の距離を調整することができる図２０に示すような構成としてもよい。
【００９０】
図２０は、ヘッドレストの変形例を示す斜視図である。すなわち、図２０に示すヘッドレスト７０は、３個づつの凸形筋押圧具５１が、それぞれ固定本体部７１と移動本体部７２とに設けられた構成とされ、移動本体部７２が矢印Ｘの横方向に移動できるようになっている。これらの固定本体部７１と移動本体部７２とは側面視Ｌ字形のスライド部７３の上面平面部７３Ａに載せられている。
【００９１】
上面平面部７３Ａの一端側端部には、移動本体部７２が最大限移動したとき当接するストッパ枠７５が取付けられ、上面平面部７３Ａの一端側端部と直交する２つの平行な端部には、ストッパ枠７５の両端に連続するガイド枠７４が設けられている。このガイド枠７４は、移動本体部７２の凸形筋押圧具５１を取付けた面と、その反対側の面に接触し、移動本体部７２が移動する際のガイドとされている。
【００９２】
移動本体部７２の移動は、駆動摘み７７を回すことにより行われる。駆動摘み７７は、大きな外径の摘み部７７Ａと、ねじ軸７７Ｂとで形成され、ねじ軸７７Ｂは、移動本体部７２の雌ねじと螺合され、ねじ軸７７Ｂの先端は固定本体部７１に回転可能で且つ抜けないように挿嵌されている。
【００９３】
また、移動本体部７２には、駆動摘み７７を挟んで上下位置に、駆動摘み７７と平行な２個の貫通孔７２Ａが形成されており、これらの貫通孔７２Ａには、固定本体部７１に固定されたガイド棒７６が挿通されている。したがって、駆動摘み７７を回すと、移動本体部７２が、その雌ねじと駆動摘み７７のねじ軸７７Ｂとの螺合で、ガイド枠７４、および２本のガイド棒７６でガイドされながら横方向に移動し、最大限移動したとき、ストッパ枠７５に当接して停止する。なお、特に、図示はしないが、固定本体部７１と移動本体部７２とを移動可能に構成し、両本体部７１，７２の外側とストッパ枠７５の間に圧縮ばねを介装し、ねじ軸７７Ｂの両端に逆ねじを形成して両本体部７１，７２に形成された雌逆ねじと螺合させることで、両本体部７１，７２は中心に対し接近、離反することで、３個づつ列設した凸形筋押圧具５１の間隔を調整することができる。また、図２０には示さないが、上記枕５３と同様の枕は固定本体部７１と移動本体部７２とに跨がって設けられ、枕の下面に、移動本体部７２が移動できるような窪み部（ガイド溝）を形成しておけばよい。この実施例によれば、個人差に対応することができる。
【００９４】
また、上記実施例では、ヘッドレスト５０は背凭れ部３０に取付けて使用されているが、これに限らず、図２１に示すように、背凭れ部３０から取外して単独で使用してもよい。すなわち、椅子１の背凭れ部３０から取外したヘッドレスト５０を例えば室内の床の上に置き、使用者は仰向けに寝て、頭部と頸部とを乗せ、頭部と頸部とを左右に動かしながら強さを加減して使用する。
また、図６〜図８で説明したように、ヘッドレスト５０の本体５２を凹溝２７内まで下降させることで、凸形筋押圧具５１が使用者の首の頚部だけではなく、背中の脊柱両側の筋も押圧することができる。
【００９５】
この実施例によれば、ヘッドレスト５０を、どこへでも容易に持ち運びすることができるので、好きな場所で使用することができる。また、例えば人が寝るスペースがあれば使用することができるので、狭い場所でも使用することができる。その結果、そのような場所でも、首の頚椎起立筋の異常緊張を弛緩し、脳内血管の圧迫と緊張とを改善することができるので、後頭部から首と肩と脊椎両側の後背筋の凝りと筋肉の異常緊張と硬縮とを容易に防止することができる。
【図面の簡単な説明】
【００９６】
【図１】本発明に係る椅子の実施形態を示す全体縦断面図である。
【図２】上記実施形態の椅子を示す側面図である。
【図３】上記実施例の要部を示す斜視図である。
【図４】椅子の一実施例として肘掛けのヒンジ部を示す部分拡大斜視図である。
【図５】（Ａ）は肘掛けのストッパ部材を示す詳細構造を示す拡大断面図、（Ｂ）は肘掛けのヒンジ部を示す部分拡大正面図である。
【図６】上記実施例のヘッドレストを正面側から見た斜視図である。
【図７】上記実施例のヘッドレストを裏面側から見た斜視図である。
【図８】（Ａ）はヘッドレストを引上げた状態を示す説明図、（Ｂ）はヘッドレストを押し下げた状態を示す説明図である。
【図９】上記実施形態のアームレストを前方から見た斜視図である。
【図１０】上記実施形態の椅子の第1の使用方法を示す説明図である。
【図１１】上記実施形態の椅子の第２の使用方法を示す説明図である。
【図１２】上記実施形態の椅子の第３の使用方法を示す説明図である。
【図１３】人体における前側の筋肉図である。
【図１４】人体における後側の筋肉図である。
【図１５】人体における大腿部の前側の筋肉図である。
【図１６】人体における大腿部の後側の筋肉図である。
【図１７】人体における腰部の筋肉図である。
【図１８】人体における大腿骨頭股頚軸と大腿骨との関係を示す概念図である。
【図１９】（Ａ）、（Ｂ）は、人体における膝関節を示す概念図である。
【図２０】ヘッドレストの変形例を示す斜視図である。
【図２１】ヘッドレストの他の使用例を示す説明図である。
【符号の説明】
【００９７】
１            椅子
１０          着座部
１１          紐収容箱
１１Ａ        本体部
１１Ｂ        表面部
１２          ベルト（紐部材）
１３          肘掛け
２０          脚体
２１          受部
２２          脚柱
２３          支持脚
２４          キャスタ
２７          収納溝
２８          底面
３０          背凭れ部
３１          ベルト収容箱
３２          ベルト
３３          バックル
３４          ヒンジ部
３５          ストッパ部材
３６          ブロック体
３６Ａ        嵌挿孔
３８          軸体
３８Ａ        係止軸
３８Ｂ        操作軸
３９          ブッシュ
３９Ａ        位置決め孔
４０          補助脚体
４１          上枠
４２          前部補助脚
４３          後部補助脚
４４          横棒（掛止部）
４６          ヒンジ機構
４８          摘み
５０          ヘッドレスト
５１          凸形筋押圧具
５１Ａ        軸部
５２          本体部
５２Ａ        スライド部
５２Ｂ        挿通孔
５３          枕
５５          取付け部材
５５Ａ        溝
５５Ｂ        貫通孔
５７          固定具
５７Ａ        ネジ軸
５７Ｂ        摘み部
６０          アームレスト
６１          水平アーム部
６１Ａ        アーム部
６１Ｂ        支持部
６１Ｃ        貫通孔
６２          枕
６４          イヤホン
６５          取付け具
６５Ａ        摘み部
６５Ｂ        軸部
６６          バネ座金
７０          ヘッドレスト
７１          固定本体部
７２          移動本体部
７２Ａ        貫通孔
７３          スライド部
７３Ａ        上面平面部
７４          ガイド枠
７５          ストッパ
７６          ガイド棒
７６          ストッパ枠
７７          駆動摘み
７７Ａ        摘み部
７７Ｂ        ねじ軸
【図１】
2006192069.tif 000003
【図２】
2006192069.tif 000004
【図３】
2006192069.tif 000005
【図４】
2006192069.tif 000006
【図５】
2006192069.tif 000007
【図６】
2006192069.tif 000008
【図７】
2006192069.tif 000009
【図８】
2006192069.tif 000010
【図９】
2006192069.tif 000011
【図１０】
2006192069.tif 000012
【図１１】
2006192069.tif 000013
【図１２】
2006192069.tif 000014
【図１３】
2006192069.tif 000015
【図１４】
2006192069.tif 000016
【図１５】
2006192069.tif 000017
【図１６】
2006192069.tif 000018
【図１７】
2006192069.tif 000019
【図１８】
2006192069.tif 000020
【図１９】
2006192069.tif 000021
【図２０】
2006192069.tif 000022
【図２１】
2006192069.tif 000023
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
使用者が着座する着座部１０と、この着座部１０を支持する脚体２０と、上記着座部１０の後端部に設けられ段階的に起伏位置調整可能な背凭れ部３０とを備えた椅子であって、上記背凭れ部３０が上記着座部１０に対して起伏可能とされ、
上記着座部１０には、その前部側に配置された左右一対の前部補助脚４２および後部側に配置された左右一対の後部補助脚４３から成る補助脚体４０が設けられ、上記前部補助脚４２の間には、着座した使用者の両足首の甲部を掛止する棒状の掛止部４４が横架され、上記後部補助脚４３は、その下端部が上記前部補助脚４２から後方に離れる方向に傾斜状に構成されて成り、
上記背凭れ部３０の上部裏面には、上端に後頭部を押当てる枕５３を設けたヘッドレスト５０が上下位置調整可能、且つ着脱可能に設けられ、上記ヘッドレスト５０は、使用者側に向く前面に使用者の頚椎を押圧する所定配置の複数の凸形筋押圧具５１が突設され、最下位置では上記背凭れ部３０の上端に形成された凹溝２７内に位置するまで下降するようになっていることを特徴とする椅子１。
【請求項２】
上記背凭れ部３０の一方の側端面にはアームレスト６０が上下に揺動可能に設けられ、このアームレスト６０は、上記側端面に一端が水平な軸状の取付け具６５を介して揺動可能に支持される支持部６１Ｂと、この支持部６１Ｂの他端から上記着座部１０と略平行に折曲し先端に枕６２を設けたアーム部６１Ａとにより平面視Ｌ字形に形成されて成り、上記アーム部６１Ａが下方位置に揺動したとき、このアーム部６１Ａの枕６２が使用者の胸部前面の上方に保持され、上記使用者の前頭部を載せることができるようになっていることを特徴とする請求項１に記載の椅子１。
【手続補正２】
【補正対象書類名】明細書
【補正対象項目名】全文
【補正方法】変更
【補正の内容】
【発明の詳細な説明】
【技術分野】
【０００１】
本発明は、椅子に係り、更に詳しくは、筋系（筋機能）の働きを誘発し、筋肉と骨格関節とを正常に整えることで自然体を得ることができ、その結果、健康維持および健康増進を図れる椅子に関する。
【背景技術】
【０００２】
従来、各種疾患の治療法として筋系帯療法を代表とする種々の治療法が知られている。この筋系帯療法について概略説明すると、各種疾患は人体の骨格が左右非対称となることによって起こるとするものであり、上記骨格を人体の左右で対象とすることで人体の各種疾患を治療するものである。この筋系帯療法は多くの臨床例によって各種の疾患に対して治療効果があることが確認されている。
【０００３】
上記筋系帯療法によると、人体の骨格は筋肉および靭帯（以下、単に筋と記載する）と繋がれており、この筋により骨格を保持したり、動かしたりすることができるものであるとされている。そして、筋が緊張して収縮した場合、再び弛緩することができなくなる。すなわち、異常緊張あるいは異常収縮することがある。この筋の異常緊張あるいは異常収縮が、人体の左右で非対称に偏在することにより、人体の骨格が左右非対称となるとされている。
【０００４】
そこで、本出願人は、圧痛点による左右対称および左右非対象型測定用図表を利用して、各種疾患の治療の前段階として被検査者の人体の左右対称性を測定する発明を提案した（特許文献１参照）。
【０００５】
この特許文献１によれば、被検査者の左右対称性および左右非対称性を容易に、かつ正確に求めることができ、その検査結果に基づいて治療を施すことができる。
【０００６】
【特許文献１】特公平５−５６９０１号公報
【発明の開示】
【発明が解決しようとする課題】
【０００７】
しかし、上記特許文献１では、圧痛点による左右対称および左右非対象型測定用図表を利用して、各種疾患の治療の前段階として被検査者の人体の左右対称性を測定しているが、治療そのものに利用できるものではない。
一方、筋を伸ばしたり、マッサージしたりする治療院があるが、通院のための時間や費用等がかかったり、治療者の能力の個人差があることから気軽に利用できないものである。
そのため、必要なときに、簡単に利用することができる椅子を利用して、個人でも容易に、筋の異常緊張あるいは異常収縮を防止することができ、健康に役立てることができるようなものが要望されている。
【０００８】
本発明の目的は、必要なときに個人でも簡単に利用することができるとともに、筋の異常緊張あるいは異常収縮を防止することができ、健康の維持および増進を図る椅子を提供することを目的とする。
【課題を解決するための手段】
【０００９】
上記の目的を解決するために、本発明の請求項１に記載の椅子１は、使用者が着座する着座部１０と、この着座部１０を支持する脚体２０と、上記着座部１０の後端部に設けられ段階的に起伏位置調整可能な背凭れ部３０とを備えた椅子であって、上記背凭れ部３０が上記着座部１０に対して起伏可能とされ、上記着座部１０には、その前部側に配置された左右一対の前部補助脚４２および後部側に配置された左右一対の後部補助脚４３から成る補助脚体４０が設けられ、上記前部補助脚４２の間には、着座した使用者の両足首の甲部を掛止する棒状の掛止部４４が横架され、上記後部補助脚４３は、その下端部が上記前部補助脚４２から後方に離れる方向に傾斜状に構成されて成り、上記背凭れ部３０の上部裏面には、上端に後頭部を押当てる枕５３を設けたヘッドレスト５０が上下位置調整可能、且つ着脱可能に設けられ、上記ヘッドレスト５０は、使用者側に向く前面に使用者の頚椎を押圧する所定配置の複数の凸形筋押圧具５１が突設され、最下位置では上記背凭れ部３０の上端に形成された凹溝２７内に位置するまで下降するようになっていることを特徴とする椅子１である。
上記の椅子によれば、使用者が骨盤を水平にして着座部１０に着座し、足首の甲を補助脚体４０における前部補助脚４２の掛止部４４に掛止しておいて、上半身を反らして、後方に所定角度倒した状態の背凭れ部３０に上半身をあずけるようにして使用される。また、ヘッドレスト５０を使用する場合は、その凸形筋押圧具５１により、頚椎両側の胸鎖乳突筋と後頭部を自分自身で強さを加減しながら押圧する。ヘッドレスト５０を単独で使用する場合は、椅子１から取り外して例えば部屋の床面に置き、凸形筋押圧具５１上に仰向けになった使用者の頭部と頸部とを乗せて、左右に振りつつ自分で強さを加減しながら使用する。
【００１０】
本発明の請求項２に記載の椅子１は、上記背凭れ部３０の一方の側端面にはアームレスト６０が上下に揺動可能に設けられ、このアームレスト６０は、上記側端面に一端が水平な軸状の取付け具６５を介して揺動可能に支持される支持部６１Ｂと、この支持部６１Ｂの他端から上記着座部１０と略平行に折曲し先端に枕６２を設けたアーム部６１Ａとにより平面視Ｌ字形に形成されて成り、上記アーム部６１Ａが下方位置に揺動したとき、このアーム部６１Ａの枕６２が使用者の胸部前面の上方に保持され、上記使用者の前頭部を載せることができるようになっていることを特徴とする椅子１である。
上記の椅子によれば、アームレスト６０は、上記アーム部６１Ａを下方位置に揺動したとき、このアーム部６１Ａの枕６２が使用者の胸部前面の上方に水平に保持され、上記使用者が前頭部を上記アーム部６１Ａの枕６２に乗せて使用される。
【発明の効果】
【００１１】
本発明は以下の効果を奏する。
【００１２】
請求項１に記載の発明によれば、足首の甲を補助脚体における前部補助脚の掛止部に掛止しておいて、上半身を反らして、後方に所定角度倒した状態の背凭れ部に上半身をあずけるようにして使用することで、人体の前側の筋肉と靭帯とが全身的に伸展されると同時に、後側の筋肉と靭帯とが弛緩される。その結果、筋系（筋機能）の働きが誘発され、筋肉と骨格関節とが正常に整えられるので、例えば手を挙げた状態から急に力を抜いて手を下ろした瞬間に生ずる脱力感が得られ、自然体が得られる。また、筋の異常緊張あるいは異常収縮を防止することができるので、疲労回復を図ることができ、筋肉の疲労をとり、血流をよくし、神経痛や筋肉痛を緩和する等、健康の維持および増進が図れるようになる。また、ヘッドレストを使用する場合は、後頭部と頚椎両側の筋肉の異常緊張と硬縮とを弛緩させることができるので、筋肉を改善させることができ、また、肩甲間部と脊椎両側の筋肉を押圧することができるので、局所の筋肉の異常緊張と硬縮とを弛緩させて筋肉を改善することができる。
【００１３】
請求項２に記載の発明によれば、使用者の胸部前面の上方に水平に保持されたアームレストのアーム部の枕に前頭部を載せ、首と肩の筋肉を瞬間脱力して軽く目をつぶると、首と後背筋とが伸展するので、脳内と首と後背部の筋肉の緊張が消滅し、睡眠が誘発される。
【発明を実施するための最良の形態】
【００１４】
本発明の一実施例を以下に説明する。
【実施例１】
【００１５】
図１〜図９には椅子１の一実施例が示されている。図１は本発明に係る椅子の一実施例を示す全体斜視図、図２は上記実施例の全体側面図、図３は上記実施例の要部を示す斜視図、図４は、椅子の一実施例として肘掛けのヒンジ部を示す部分拡大斜視図、図５（Ａ）は肘掛けのストッパ部材を示す詳細構造を示す拡大断面図、（Ｂ）は肘掛けのヒンジ部を示す部分拡大正面図、図６は上記実施例の要部を示す正面側から見た斜視図、図７は上記実施例の要部を示す裏面側から見た斜視図、図８（Ａ）はヘッドレストを引上げた状態を示す説明図、（Ｂ）はヘッドレストを押し下げた状態を示す説明図、図９は上記実施例の他の要部を示す斜視図である。
【００１６】
図１、図２に示すように、椅子１は、使用者が着座する着座部１０と、この着座部１０を支持する脚体２０と、着座部１０の後端部に設けられ使用者の背中を支える背凭れ部３０と、着座部１０の下面にもうけられる補助脚体４０とを備えて構成されている。
【００１７】
着座部１０は平坦状に形成された筐体（不図示）を備え、この筐体を布や合成樹脂等で包み込んで本体部１１Ａが形成され、この本体部１１Ａの表面部１１Ｂは、例えば合成皮革等で覆われており、着座部１０の左右両側の側面には、肘掛け１３が設けられている。
【００１８】
肘掛け１３は、詳細は後述するがヒンジ（図３、図４参照）を介して下方に折り畳み可能に構成されており、背凭れ部３０の上端には底面２８を有する収納溝２７が設けられており、この収納溝２７を設けることによってヘッドレスト５０（後述する）が下方に移動できるようになっている。
【００１９】
上記脚体２０は、上記着座部１０を受ける受部２１と、この受部２１の下面から下方に延びた脚柱２２と、この脚柱２２の下端から下方側四方に延びた支持脚２３と、これらの支持脚２３の下面に取付けられたストッパ付キャスタ２４とから構成され、上記補助脚体４０を使用していないときは、全方向に移動可能となっている。受部２１は、合成樹脂等で例えばお椀形に形成され、上記着座部１０の裏面に固着されている。
【００２０】
図３に示すように、上記補助脚体４０は、例えば丸パイプで枠組み形成されており、平面四角枠状の上枠４１と、この上枠４１の一辺両角部から下方に延びた２本の前部補助脚４２と、上枠４１の他の一辺両角部から下方に延びた２本の後部補助脚４３とを含み構成されている。
【００２１】
前部補助脚４２および後部補助脚４３は、それぞれ正面視で２本の下端部が上端部に対して拡開したハ字状に形成されている。また、前部補助脚４２と後部補助脚４３も、外側に拡開した側面視ハ字状に形成されており、特に後部補助脚４３の下端側は、上端側に対して前部補助脚４２から離れる方向に傾いており、着座部１０の上枠４１に対する開き角度αは例えば１００度〜１２０度の範囲で形成されている。
【００２２】
一対の前部補助脚４２，４２間には、掛止部である横棒４４が横架されており、この横棒４４に、使用者が着座部１０に着座した状態で足首から先を横棒４４の下を通して絡めることができるようになっている。この横棒４４には、図示しないがラバー等が被覆されており、足首から先を絡めたとき痛みのないように構成されている。また、横棒は一対の前部補助脚４２，４２の開きを防止する補強材を兼ねている。一対の後部補助脚４３，４３間にも補強用の横棒４４が横架されている。
【００２３】
以上のような補助脚体４０は、着座部１０の筐体裏面に上枠４１をねじ止め等により取付けられており、補助脚体４０の前部補助脚４２は、ヒンジ機構４６により後部補助脚４３側に折畳み可能とされ、後部補助脚４３は、ヒンジ機構４６により背凭れ部３０側に折畳み可能とされている。そして、前部補助脚４２および後部補助脚４３は、折畳まれたとき着座部１０の裏面ないし背凭れ部３０の裏面に、それぞれ図示しない保持具により保持されている。
【００２４】
上記背凭れ部３０は、ラチェット機構、ばね等の付勢手段等を利用した公知の構成により、図２に示すように、ほぼ水平な着座部１０に対して、Ａ位置の垂直位置から、例えば３０度毎にＢ，Ｃ位置に３段階に起伏位置が調整可能となっている。なお、上記背凭れ部３０の起伏は水平状態まで傾動させても良く、段階ごとでなく連続的に傾動させることもできる。
【００２５】
図４及び図５（Ｂ）には、肘掛け１３のヒンジ部３４が示されており、ヒンジ部３４は、着座部１０の両側端に設けた肘掛け１３を垂直な起立位置から着座部１０の下方に折り畳み可能に構成している。このヒンジ部３４は、公知の例えば兆番により着座部１０両側の下面と肘掛け１３の下端面を回動可能に接続している。
【００２６】
図５（Ａ）には、肘掛け１３のストッパ部材３５を示す詳細構造が示されており、ストッパ部材３５は、両肘掛け１３前方のヒンジ部３４近傍に設けられており、次のように構成されている。
【００２７】
着座部１０の両側端面には、平面視Ｌ字形のブラケット３５が固定されており、このブラケット３５一端の折曲部には、嵌挿孔３６Ａを穿設したブロック体３６が溶接またはネジなどで固定されており、この嵌挿孔３６Ａには大径の軸体３８が前後方向に移動可能に挿通保持されている。
【００２８】
軸体３８の後端（図５（Ａ）の右側）には、細径の係止軸３８Ａが形成されるとともに前方（図５（Ａ）の左側）には細径の操作軸３８Ｂが形成され、この操作軸３８Ｂは、ブラケット３５の前面に固定されたコ字形板状のホルダ４７の挿通孔に挿通支持されている。ホルダ４７の内側には、操作軸３８Ｂを挿通したスプリングＳＰが内装されており、このスプリングＳＰは、ホルダ４７の内壁に対して軸体３８の前方に形成された段付き部を後方に押圧付勢している。
【００２９】
操作軸３８Ｂの前端には、例えばピンなどを介して摘み４８が取付けられており、摘み４８は、スプリングＳＰの作用で後方へ付勢される軸体３８の移動を、この摘み４８とホルダ４７と当接により規制している。
【００３０】
軸体３８後端の係止軸３８Ａは、両肘掛け１３が垂直状態に起立したとき両肘掛け１３の下端前面に埋め込まれた孔付きブッシュ３８の位置決め孔３９Ａに対応しており、スプリングＳＰの付勢力により挿嵌できるように構成されている。
【００３１】
このように構成することで、両肘掛け１３は、ストッパ部材３５の作用で垂直な起立状態に維持されており、摘み４８を前方に引くことにより係止軸３８Ａがブッシュ３８の位置決め孔３９Ａから抜出されることで、両外側に回動し着座部１０の略垂直下方に倒れる。
【００３２】
図６、図７にはヘッドレスト５０が示されており、このヘッドレスト５０は、背凭れ部３０の上部裏面に上下に移動可能、且つ着脱可能に設けられている。
このヘッドレスト５０は、前面に複数の凸形筋押圧具５１を取付けた本体５２を備えており、この本体５２の下部にはスライド部５２Ａが形成されている。スライド部５２Ａの厚さは、本体５２の厚さより薄く形成されている。
【００３３】
そして、ヘッドレスト５０の本体５２は、図８の（Ａ）、（Ｂ）に示すように、背凭れ部３０の上端に形成された凹溝２７内で下方へ移動可能となっており、最下部まで移動したときは少なくとも本体５２の上端面までは挿入可能であって、上記本体５２とスライド部５２Ａとの段差部５２Ｂが背凭れ部３０の凹溝２７底面２８に載せられた状態で保持される。この位置でヘッドレスト５０は上記と同様に固定具５７に固定することができる。
【００３４】
このように、ヘッドレスト５０の本体５２を凹溝２７内まで下降させることで、凸形筋押圧具５１が使用者の首の頚部だけではなく、背中の脊柱両側の筋も押圧することができる。
【００３５】
詳しくは、凸形筋押圧具５１は、上述のように、本体５２の前面に設けられ、縦方向に２列に３個ずつ所定間隔をおいて配置されている。凸形筋押圧具５１は、軸部５１Ａの一端に先端が丸くなったどんぐり状の押圧部を呈し、これら凸形筋押圧具５１は、使用者の頚椎から肩の上部に押し当てられ、頚椎等を押圧できるようになっており、この凸形筋押圧具５１は、その軸部５１Ａを本体５２の所定位置に形成された嵌合孔に挿嵌されて取付けられている。なお、凸形筋押圧具５１は、大きさが異なる複数種類が準備され、体格差等に対応して適宜使い分けできるようにすることもできる。
【００３６】
ヘッドレスト５０の本体５２の上端部には、後頭部を押当てる枕５３が設けられている。この枕５３は、表面がビニール、あるいは合成皮革等で覆われて丸みを帯びた矩形状に形成され、その内部には布や綿等が収容されている。そして、この枕５３は、前面が本体５２の前面からわずかに後方位置に設けられ、後頭部を枕５３に押し当てた状態でも、頚椎等が凸形筋押圧具５１に確実に当るようになっている。
【００３７】
ヘッドレスト５０は、前述のように、背凭れ部３０に対して着脱可能となっている。すなわち、図６に詳細を示すように、背凭れ部３０の上部裏面には、取付け部材５５が固着されており、この取付け部材５５には、縦方向に背凭れ部側のみが開口する溝５５Ａが形成されており、溝５５Ａの上方には３個の貫通孔５５Ｂが背凭れ部３０側に向けて形成され、これらの貫通孔５５Ｂは、ヘッドレスト５０を固定する固定具５７のネジ軸５７Ａが挿通可能となっている。
【００３８】
これに対して、ヘッドレスト５０のスライド部５２Ａは、上記溝５５Ａにスライド自在に嵌込むようになっている。ヘッドレスト５０の背面には、例えば３個の挿通ネジ孔５５Ｂが縦方向に所定間隔で螺設されている。これらの挿通孔５２Ｂは、それぞれの位置で上記取付け部材５５の１個の挿通孔５２Ｂと一致するようになっており、これら３個の貫通孔５２Ｂを挿通した固定具５７のネジ軸５７Ａは、ヘッドレスト５０の背面に螺設した３個の挿通ネジ孔５５Ｂの何れか１つと選択的に螺合できるように構成されている。
【００３９】
固定具５７は、上記ネジ軸５７Ａとその先端の摘み部５７Ｂとで形成され、ネジ軸５７Ａには雄ねじが螺設されている。そして、このねじをヘッドレスト５０の背面に螺設した３個の挿通ネジ孔５５Ｂに選択的に螺合することで、ヘッドレスト５０の高さ位置を調整可能として固定することができる。
【００４０】
なお、３個の挿通孔５２Ｂを１個のネジ孔として形成すれば、この挿通孔５２Ｂにネジ軸５７Ａを螺合してヘッドレスト５０の背面を押圧することで、任意の高さ位置にヘッドレスト５０をネジ軸５７Ａの押し付け力で固定することができる。
【００４１】
背凭れ部３０の一方側側面の上部には、図９に詳細を示すように、アームレスト６０が取付けられている。アームレスト６０は、例えば角パイプ部材で形成され、水平アーム部６１とその先端の枕６２とを含み構成されている。水平アーム部６１は、上記着座部１０と略平行なアーム部６１Ａと、背凭れ部３０の一方側側面に取付けられる支持部６１Ｂとを有して平面視Ｌ字状に形成されている。
【００４２】
枕６２は、内部に布、綿等を詰め込んだビニールまたは合成皮革等で形成されており、椅子１の使用者が、前頭部、つまり額を乗せたとき、心地よい感触が得られるようになっている。また、枕部の内部にはイヤホン６４が設けられており、スイッチを押すことで、例えば腹式呼吸を誘導する話しが聞けるようになっている。そのため、その話しを聞いていることで脳のリラックスを図ることができる。なお、癒し系の音楽等を聴けるようにしてもよい。
【００４３】
アームレスト６０の上記支持部６１Ｂは、取付け具６５によって背凭れ部３０の側面に、上下方向に揺動可能に取付けられている。取付け具６５は、摘み部６５Ａと軸部６５Ｂとで形成され、支持部６１Ｂにあけられた貫通孔６１Ｃに、軸部６５Ｂを嵌入させ、軸部６５Ｂの先端部に形成された雄ねじを、背凭れ部３０に螺設された図示しない雌ねじに螺合させて固定するようになっている。
【００４４】
このとき、軸部６５Ｂには、支持部６１Ｂを挟んで配置されたバネ座金６６が介在されており、摘み部６５Ａを僅かに回して取付け具６５を緩めても、取付け具６５は背凭れ部３０から外れないようになっている。したがって、取付け具６５を緩めてアームレスト６０を上下方向に揺動させることができ、アームレスト６０は取付け具６５を締め込むことで所定の位置で固定することができる。
【００４５】
図１、図２に戻って、上記背凭れ部３０の下部における裏面にはベルト収容箱３１が設けられており、このベルト収容箱３１には、例えば車のシートベルトと同様に伸縮自在のベルト３２が引出し自在に収容されている。ベルト３２は、背凭れ部３０の裏面から左右に引出され、それぞれの端部に装着されたバックル３３を係合させることで、着座部１０に着座した使用者の腹部に巻付けることができるようになっている。なお、バックル３３の位置も使用者の体格に対応させて調整することができる。
【００４６】
また、後述する図１０に示すように、上記着座部１０のやや前方側裏面には、紐収容箱１１が設けられており、この紐収容箱１１には、紐部材として、上記ベルト３２と同様のベルト１２が引出し自在に収容されている。ベルト１２は、着座部１０の裏面から左右に引出され、着座部１０に着座した使用者の２本の膝上に回した後、それぞれの紐の先端を引出した方向とは反対側の膝部の裏側を互いに交差させて再度膝上まで回し、そこでベルト１２を結び、使用者の２本の膝を着座部１０に、ひいては椅子１に固定させることができるようになっている。
【００４７】
なお、使い方は自由であり、着座部１０の裏面から左右に引出されたベルト１２を、膝上で直接バックル３３で係合させてもよい。また、紐部材としては、例えば木綿製の紐で形成してもよい。
【００４８】
次に、以上のような構成の椅子１の使用方法を、図１０〜図１３に基づいて図１４〜図２１の人体骨格図を併せて参照しながら説明する。
【００４９】
図１０は、第１の使用方法として、背凭れ部３０を、着座部１０に対して所定角度（例えば１５０度）倒して使用した状態、図１１は、第２の使用方法として、背凭れ部３０を起こしておいてアームレスト６０を使用した状態、図１２は、第３の使用方法として、背凭れ部３０を例えば１２０度に倒して腹筋運動をする状態図である。
【００５０】
図１３は、人体の前側の筋肉を示す。人体の胸部には、胸の筋肉の中心となり、腕の描円運動、腕を外側から中心に向かって引付ける動作等を行なう大胸筋１０１と、大胸筋１０１の下方に位置し、肩甲骨を内下方に引き、肩甲骨が固定されているときは、肋骨を挙上して吸気を助ける小胸筋１０２等があり、体幹部に沿った位置には、腹腔臓器を保護するとともに、腹圧の維持と臓器の位置の固定、さらに腹圧を増し、排便等の動きに働く腹直筋１０３等がある。また、首部には、僧帽筋、頭半棘筋等とともに、頸部を屈曲させ、側屈を回避させる胸鎖乳突筋１０４がある。
【００５１】
図１４は、人体の後側の筋肉を示す。頭部１０５の下部には上記胸鎖乳突筋１０４があり、脊椎１０６の両側には、主に体幹部を伸展（後屈）させる脊椎起立筋１０７が縦走している。肩関節の内展、伸展、内旋動作等を行なう後背筋１０８は、僧帽筋１０９の下方に位置し、後背筋１０８の下方には骨盤１１０がある。
【００５２】
図１５は、大腿部の前側の筋肉を示す。大腿部の上部には、股関節の内旋・外転、膝関節の外旋のような動きに関与し、大腿が固定している場合は、骨盤を後方に引いて体を直立の姿勢に保つ働きをする大腿筋膜張筋１１１があり、そのすぐ近くには、股関節の屈曲、膝関節の伸展等を行なう大腿直筋１１２がある。
【００５３】
図１６は、大腿部の後側の筋肉を示す。臀部の部位には、臀部を覆うとともに、股関節を伸展、外転、内旋等をさせる大臀筋１１３があり、その下方には、主に股関節の伸展、膝関節の屈曲等に働く大腿二頭筋１１４がある。
【００５４】
図１７は、腰部の筋肉を示す。骨盤１１０を含む腰部には腸腰筋１１５があり、腸腰筋１１５は大腰筋１１７、小腰筋１１８を含む。この腸腰筋１１５は、人体前面の大腿直筋１１２と大腿筋膜張筋１１１を伸展し、同時に腹直筋１０３と腹筋、胸筋と前頚筋等を伸展させる働きをする。
【００５５】
図１８は、大腿骨頭股頚軸と大腿骨との関係を示す。大腿骨１１９の大腿骨頭股頚軸１２０は、骨盤１１０に、水平に対して角度βで嵌り合っている。この角度βは約１３０度であり、立位姿勢の日本人の基準角度である。
【００５６】
図１９は、膝関節を示す。図１９（Ａ）では、膝関節が、関節頭１２１と関節窩１２２とが互いに外側に向いた外反角（Ｘ型）となっている。これに対して図１９（B）では、内反角（Ｏ型）になっている膝関節を改善した場合で、正常な関節頭１２１と関節窩１２２との位置を示す。
【００５７】
まず、図１０を参照して第１の使用方法を説明する。
【００５８】
体を大きく伸展させたいときは、補助脚体４０の前部補助脚４２と後部補助脚４３とを開くとともに、背凭れ部３０を起こしておいて、使用者が椅子１に骨盤が水平になるように着座し、腹部にベルト３２を巻付けて背凭れ部３０に固定し、ベルト１２で膝を巻いて着座部１０に固定する。
【００５９】
次いで、足首から先を図１０に２点鎖線で示すように、前部補助脚４２の内側に入れて横棒４４の下方を通して外側へ出し横棒４４に絡める。この状態で、背凭れ部３０を例えば１５０度位まで倒し、上半身を大きく反らして伸展させる。この際、腹式呼吸を行なうと好適である。
【００６０】
上半身を大きく反らして伸展させると同時に、凸形筋押圧具５１で、図１４に示す頚椎両側の胸鎖乳突筋１０４と後頭部１０５とを、自分で頭部と頸部とを左右に振りながら、強さを加減して押圧する。また、図１５〜図１７に示す大腿直筋１１２と大腿筋幕直筋１１１とを伸展させ、腸腰筋１１５と腹直筋１０３、胸筋等を伸展させ、同時に脊椎前縦靭帯１００を伸展させる。そして、下腹部の筋肉を上方に伸展させて下垂していた腹腔内臓器を引上げ、正常位置に保定させる。一方、体の後面の脊椎起立筋１０７と後背筋１０８等を弛緩させる。
【００６１】
以上のような実施形態の第１の使用方法によれば、次のような効果が得られる。
【００６２】
（１）椅子１に着座し、足首から先を前部補助脚４２の内側に入れて横棒４４の下方を通し外側へ出し横棒４４に絡める。この状態で、上半身を後方に反らすと、人体の前側の大腿直筋１１２、大腿筋膜張筋１１１、腸腰筋１１５、腹直筋１０３、大胸筋１０１等の筋肉と、脊椎前縦靭帯１００等の靭帯とが全身的に伸展すると同時に、人体の後側の脊椎起立筋１０７、後背筋１０８等の筋肉と靭帯とを弛緩させ、筋系の働きを誘発する。その結果、筋肉と骨格関節が正常に整えられるようになり、疲労回復を図ることができ、筋肉の疲労をとり、血流をよくし、神経痛や筋肉痛を緩和する等、健康の維持と増進とを図ることができる。
【００６３】
（２）椅子１に着座し、足首から先を横棒４４の下を通して横棒４４に絡めた状態で、上半身を後方に反らすと、人体の前側の各種筋肉と、靭帯とが全身的に伸展するので、下腹部の筋肉を上方に伸展させて下垂していた腹腔内臓器が引上げられ、正常位置に保定させることができる。その結果、下腹部とウェストが細くなり、スタイルがよくなる。
【００６４】
（３）上半身を後方に反らすことにより、全身的に前側筋と脊椎前縦筋靭帯１００が伸展されると、胸部が開きやすくなり、両肩を後に引きやすくなるために、両肩関節と両肩甲骨の可動域が正常になる。その結果、両肩と後背筋１０８とが弛緩し、筋肉の異常緊張と硬縮や偏在がなくなり、正常な筋肉に戻るため、血液やリンパ液の流れがよくなり、頭痛や吐き気までも催すほどの極めて重症な肩こりが改善される。また、コンピュータ社会における目や脳、両腕の疲れ、催眠苦、頭が重い、首や肩の凝り、円背になる等を総称する仮称「コンピュータ症候群」を改善することができる。
【００６５】
（４）椅子１の背凭れ部３０の下部にある伸縮自在のベルト３２を使用者の腹部に巻付けることができるので、巻付けた状態で、腹式呼吸を行ないながら上半身を伸展させると、腹圧運動を強化することができる。
【００６６】
（５）椅子１の着座部１０に着座して、ベルト１２で使用者の両膝上部を縛った状態で、上半身を後に反らすと、両膝が開かないので、股関節を正常な位置に維持することができ、図１８に示すように、股関節の大腿骨股頚軸１２０に対する大腿骨１１９の角度を日本人の基準とされている１３０度の角度になるように、筋肉と靭帯とを整えることができる。その結果、股関節を正常な状態に維持することができる。
【００６７】
（６）椅子１の着座部１０に着座したとき、両膝はベルト１２で縛られているので、図１９に示すように膝関節が外反角（Ｘ型）となる。したがって、内反角（Ｏ型）になっている膝関節の場合には、内側の関節面が開くので、膝関節の変形が改善され、予防することが可能となる。その結果、膝関節痛の改善と美脚になることができる。
【００６８】
（７）補助脚体４０の前部補助脚４２と後部補助脚４３とを折畳んでおけば、補助脚体４０が邪魔とならず、また、脚体２０にキャスタ２４が取付けられているので、容易に全方位に移動することができるとともに、一般事務用椅子として、また家庭用椅子として使用することができる。
【００６９】
（８）補助脚体４０は、後付で通常の椅子に取付けることができる。したがって、いつでも、かつどこでも使用することができる椅子に補助脚体４０を取付けることで、通常の椅子を、容易に健康維持のための椅子１として改良することができ、また、使用することができる。
【００７０】
（９）使用者は、椅子１に着座し、足首の甲を横棒４４に引掛けておいて、上半身を後方に反らし、上半身を倒されている背凭れ部３０にあずけるだけで使用することができるので、一般事務，民間療法、癒しと美容目的の業界、フィットネスクラブ、会社の福利厚生用等として利用することができ、また、小学生から老齢者まで容易に使用することができる。
【００７１】
次に、図１１に基づいて第２の使用方法を説明する。
【００７２】
補助脚体４０の前部補助脚４２と後部補助脚４３とを開くとともに、背凭れ部３０を起こしておいて、使用者が椅子１に骨盤が水平になるように着座し、腹部にベルト３２を巻付けて背凭れ部３０に固定し、さらにベルト１２で膝を巻いて着座部１０に固定する。そして、アームレスト６０を揺動させて所定の高さ位置に固定する。その後、前頭部（額）を、アームレスト６０の枕６２の上に乗せて、首と肩の筋肉を瞬間脱力して軽く目をつぶる。このとき、イヤホン６４を耳にはめて、腹式呼吸を誘導する話しを聞くようにする。なお、この状態で足首から先を図１１に２点鎖線で示すように、前部補助脚４２の内側に入れて横棒４４の下方を通し外側へ出し横棒４４に絡めてもよいし、これを絡めずにただ下ろしておくだけでもよい。
【００７３】
以上のような実施形態の第２の使用方法によれば、上記（４）、（６）〜（９）と同様の効果の他、次のような効果が得られる。
【００７４】
（１０）前頭部（額）を、アームレスト６０の枕６２の上に乗せて、首と肩の筋肉を瞬間脱力して軽く目をつぶると、図１４に示す首と後背筋１０８等が伸展するため、脳内と首と後背部の筋肉の緊張が消滅し、睡眠を誘発することができる。
【００７５】
（１１）前頭部を、アームレスト６０の枕６２の上に乗せた後、イヤホン６４を耳にはめれば、アームレスト６０の枕６２の内部から流れる腹式呼吸の誘導の言葉が聞こえるので、脳のリラックスを図れるとともに、短時間の深い熟睡状態に入ることができる。
【００７６】
（１２）イヤホンの音声による腹式呼吸法の誘導により、下腹部への注意力が一定（集中）し、脳から下腹部へと血流がよくなるために、催眠が起こり睡眠不足を解消し脳をリラックスさせることができるとともに、腹式呼吸法により下腹部の腹直筋が活動するため、呼吸運動と同時に大腸の運動が行なわれ、その結果、便通がよくなる。
【００７７】
次に、図１２を参照して第３の使用方法を説明する。
【００７８】
補助脚体４０の前部補助脚４２と後部補助脚４３とを開くとともに、背凭れ部３０を例えば１２０度まで倒しておいて、使用者が椅子１に骨盤が水平になるように着座し、ベルト１２で膝を巻いて着座部１０に固定する。次いで、足首の甲を前部補助脚４２の横棒４４に引掛ける。その姿勢から、上半身を背凭れ部３０に接触するまで倒し、今度は着座部１０に近づけるように起こし、その動作を繰り返し、腹筋運動を行なう。なお、この運動の際には、ベルト３２は腹部に巻付けず、ベルト収容箱３１内に収容しておく。
【００７９】
以上のような実施形態の第３の使用方法によれば、上記（４）、（６）〜（９）と同様の効果の他、次のような効果が得られる。
【００８０】
（１３）使用者が着座部１０に着座した状態で、背凭れ部３０を所定角度倒しておけば、足首から先を図１２に２点鎖線で示すように、前部補助脚４２の内側に入れて横棒４４の下方を通して外側へ出し横棒４４に絡めて、上半身を倒したり、起こしたりする腹筋運動を行なうことができる。これにより、図１３〜図１７に示す大腿直筋１１２と大腿筋膜張筋１１１とを伸展させたり弛緩させたりする。また、腸腰筋１１５と腹直筋１０３、大胸筋１０１、小大胸筋１０２、脊椎前縦靭帯１００等を伸展させたり弛緩させたりする。これらの運動が繰り返されるので、腹筋の強化、後背筋の強化を図ることができる。さらに、下腹部の筋肉を上方に伸展するために、下垂していた腹腔内臓器が引上げられ、正常位置に保定される。その結果、下腹部とウェストが細くなり、スタイルがよくなる。
【００８１】
なお、本発明は前述の実施例に限定されるものではなく、例えば、上記実施例では、ヘッドレスト５０の凸形筋押圧具５１が一つの本体５２に、縦方向に２列となって３個づつが並んだ構成となっていたが、これに限らず、凸形筋押圧具５１の横方向の距離を調整することができる図２０に示すような構成としてもよい。
【００８２】
図２０は、ヘッドレストの変形例を示す斜視図である。すなわち、図２０に示すヘッドレスト７０は、３個づつの凸形筋押圧具５１が、それぞれ固定本体部７１と移動本体部７２とに設けられた構成とされ、移動本体部７２が矢印Ｘの横方向に移動できるようになっている。これらの固定本体部７１と移動本体部７２とは側面視Ｌ字形のスライド部７３の上面平面部７３Ａに載せられている。
【００８３】
上面平面部７３Ａの一端側端部には、移動本体部７２が最大限移動したとき当接するストッパ枠７５が取付けられ、上面平面部７３Ａの一端側端部と直交する２つの平行な端部には、ストッパ枠７５の両端に連続するガイド枠７４が設けられている。このガイド枠７４は、移動本体部７２の凸形筋押圧具５１を取付けた面と、その反対側の面に接触し、移動本体部７２が移動する際のガイドとされている。
【００８４】
移動本体部７２の移動は、駆動摘み７７を回すことにより行われる。駆動摘み７７は、大きな外径の摘み部７７Ａと、ねじ軸７７Ｂとで形成され、ねじ軸７７Ｂは、移動本体部７２の雌ねじと螺合され、ねじ軸７７Ｂの先端は固定本体部７１に回転可能で且つ抜けないように挿嵌されている。
【００８５】
また、移動本体部７２には、駆動摘み７７を挟んで上下位置に、駆動摘み７７と平行な２個の貫通孔７２Ａが形成されており、これらの貫通孔７２Ａには、固定本体部７１に固定されたガイド棒７６が挿通されている。したがって、駆動摘み７７を回すと、移動本体部７２が、その雌ねじと駆動摘み７７のねじ軸７７Ｂとの螺合で、ガイド枠７４、および２本のガイド棒７６でガイドされながら横方向に移動し、最大限移動したとき、ストッパ枠７５に当接して停止する。なお、特に、図示はしないが、固定本体部７１と移動本体部７２とを移動可能に構成し、両本体部７１，７２の外側とストッパ枠７５の間に圧縮ばねを介装し、ねじ軸７７Ｂの両端に逆ねじを形成して両本体部７１，７２に形成された雌逆ねじと螺合させることで、両本体部７１，７２は中心に対し接近、離反することで、３個づつ列設した凸形筋押圧具５１の間隔を調整することができる。また、図２０には示さないが、上記枕５３と同様の枕は固定本体部７１と移動本体部７２とに跨がって設けられ、枕の下面に、移動本体部７２が移動できるような窪み部（ガイド溝）を形成しておけばよい。この実施例によれば、個人差に対応することができる。
【００８６】
また、上記実施例では、ヘッドレスト５０は背凭れ部３０に取付けて使用されているが、これに限らず、図２１に示すように、背凭れ部３０から取外して単独で使用してもよい。すなわち、椅子１の背凭れ部３０から取外したヘッドレスト５０を例えば室内の床の上に置き、使用者は仰向けに寝て、頭部と頸部とを乗せ、頭部と頸部とを左右に動かしながら強さを加減して使用する。また、図６〜図８で説明したように、ヘッドレスト５０の本体５２を凹溝２７内まで下降させることで、凸形筋押圧具５１が使用者の首の頚部だけではなく、背中の脊柱両側の筋も押圧することができる。
【００８７】
この実施例によれば、ヘッドレスト５０を、どこへでも容易に持ち運びすることができるので、好きな場所で使用することができる。また、例えば人が寝るスペースがあれば使用することができるので、狭い場所でも使用することができる。その結果、そのような場所でも、首の頚椎起立筋の異常緊張を弛緩し、脳内血管の圧迫と緊張とを改善することができるので、後頭部から首と肩と脊椎両側の後背筋の凝りと筋肉の異常緊張と硬縮とを容易に防止することができる。
【図面の簡単な説明】
【００８８】
【図１】本発明に係る椅子の実施形態を示す全体縦断面図である。
【図２】上記実施形態の椅子を示す側面図である。
【図３】上記実施例の要部を示す斜視図である。
【図４】椅子の一実施例として肘掛けのヒンジ部を示す部分拡大斜視図である。
【図５】（Ａ）は肘掛けのストッパ部材を示す詳細構造を示す拡大断面図、（Ｂ）は肘掛けのヒンジ部を示す部分拡大正面図である。
【図６】上記実施例のヘッドレストを正面側から見た斜視図である。
【図７】上記実施例のヘッドレストを裏面側から見た斜視図である。
【図８】（Ａ）はヘッドレストを引上げた状態を示す説明図、（Ｂ）はヘッドレストを押し下げた状態を示す説明図である。
【図９】上記実施形態のアームレストを前方から見た斜視図である。
【図１０】上記実施形態の椅子の第1の使用方法を示す説明図である。
【図１１】上記実施形態の椅子の第２の使用方法を示す説明図である。
【図１２】上記実施形態の椅子の第３の使用方法を示す説明図である。
【図１３】人体における前側の筋肉図である。
【図１４】人体における後側の筋肉図である。
【図１５】人体における大腿部の前側の筋肉図である。
【図１６】人体における大腿部の後側の筋肉図である。
【図１７】人体における腰部の筋肉図である。
【図１８】人体における大腿骨頭股頚軸と大腿骨との関係を示す概念図である。
【図１９】（Ａ）、（Ｂ）は、人体における膝関節を示す概念図である。
【図２０】ヘッドレストの変形例を示す斜視図である。
【図２１】ヘッドレストの他の使用例を示す説明図である。
【符号の説明】
【００８９】
１            椅子
１０          着座部
１１          紐収容箱
１１Ａ        本体部
１１Ｂ        表面部
１２          ベルト（紐部材）
１３          肘掛け
２０          脚体
２１          受部
２２          脚柱
２３          支持脚
２４          キャスタ
２７          収納溝
２８          底面
３０          背凭れ部
３１          ベルト収容箱
３２          ベルト
３３          バックル
３４          ヒンジ部
３５          ストッパ部材
３６          ブロック体
３６Ａ        嵌挿孔
３８          軸体
３８Ａ        係止軸
３８Ｂ        操作軸
３９          ブッシュ
３９Ａ        位置決め孔
４０          補助脚体
４１          上枠
４２          前部補助脚
４３          後部補助脚
４４          横棒（掛止部）
４６          ヒンジ機構
４８          摘み
５０          ヘッドレスト
５１          凸形筋押圧具
５１Ａ        軸部
５２          本体部
５２Ａ        スライド部
５２Ｂ        挿通孔
５３          枕
５５          取付け部材
５５Ａ        溝
５５Ｂ        貫通孔
５７          固定具
５７Ａ        ネジ軸
５７Ｂ        摘み部
６０          アームレスト
６１          水平アーム部
６１Ａ        アーム部
６１Ｂ        支持部
６１Ｃ        貫通孔
６２          枕
６４          イヤホン
６５          取付け具
６５Ａ        摘み部
６５Ｂ        軸部
６６          バネ座金
７０          ヘッドレスト
７１          固定本体部
７２          移動本体部
７２Ａ        貫通孔
７３          スライド部
７３Ａ        上面平面部
７４          ガイド枠
７５          ストッパ
７６          ガイド棒
７６          ストッパ枠
７７          駆動摘み
７７Ａ        摘み部
７７Ｂ        ねじ軸
【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
使用者が着座する着座部１０と、この着座部１０を支持する脚体２０と、上記着座部１０の後端部に設けられ段階的に起伏位置調整可能な背凭れ部３０とを備えた椅子であって、
上記背凭れ部３０が上記着座部１０に対して起伏可能とされ、
上記着座部１０には、その前部側に配置された左右一対の前部補助脚４２および後部側に配置された左右一対の後部補助脚４３から成る補助脚体４０が設けられ、上記前部補助脚４２の間には、着座した使用者の両足首の甲部を掛止する棒状の掛止部４４が横架され、上記後部補助脚４３は、その下端部が上記前部補助脚４２から後方に離れる方向に傾斜状に構成されて成り、
上記背凭れ部３０の上部裏面には、上端に後頭部を押当てる枕５３を設けたヘッドレスト５０が上下位置調整可能、且つ着脱可能に設けられ、上記ヘッドレスト５０は、使用者側に向く前面に使用者の頚椎を押圧する所定配置の複数の凸形筋押圧具５１が突設され、最下位置では上記背凭れ部３０の上端に形成された凹溝２７内に位置するまで下降するように構成され、更に上記背凭れ部３０の一方の側端面にはアームレスト６０が上下に揺動可能に設けられ、このアームレスト６０は、上記側端面に一端が水平な軸状の取付け具６５を介して揺動可能に支持される支持部６１Ｂと、この支持部６１Ｂの他端から上記着座部１０と略平行に折曲し先端に枕６２を設けたアーム部６１Ａとにより平面視Ｌ字形に形成されて成り、上記アーム部６１Ａが下方位置に揺動したとき、このアーム部６１Ａの枕６２が使用者の胸部前面の上方に保持され、上記使用者の前頭部を載せることができるようになっていることを特徴とする椅子１。
【請求項２】
上記背凭れ部３０の下部における裏面にはベルト収容箱３１が設けられており、このベルト収容箱３１には、ベルト３２が引出し自在に収容され、このベルト３２を、背凭れ部３０の裏面から左右に引出し、それぞれの端部に装着されたバックル３３を係合させることで、着座部１０に着座した使用者の腹部に巻付けることができ、巻付けた状態で、使用者が腹式呼吸を行いながら上半身を伸展させることができることを特徴とする請求項１記載の椅子。
【手続補正２】
【補正対象書類名】明細書
【補正対象項目名】全文
【補正方法】変更
【補正の内容】
【発明の詳細な説明】
【技術分野】
【０００１】
本発明は、椅子に係り、更に詳しくは、筋系（筋機能）の働きを誘発し、筋肉と骨格関節とを正常に整えることで自然体を得ることができ、その結果、健康維持および健康増進を図れる椅子に関する。
【背景技術】
【０００２】
従来、各種疾患の治療法として筋系帯療法を代表とする種々の治療法が知られている。この筋系帯療法について概略説明すると、各種疾患は人体の骨格が左右非対称となることによって起こるとするものであり、上記骨格を人体の左右で対象とすることで人体の各種疾患を治療するものである。この筋系帯療法は多くの臨床例によって各種の疾患に対して治療効果があることが確認されている。
【０００３】
上記筋系帯療法によると、人体の骨格は筋肉および靭帯（以下、単に筋と記載する）と繋がれており、この筋により骨格を保持したり、動かしたりすることができるものであるとされている。そして、筋が緊張して収縮した場合、再び弛緩することができなくなる。すなわち、異常緊張あるいは異常収縮することがある。この筋の異常緊張あるいは異常収縮が、人体の左右で非対称に偏在することにより、人体の骨格が左右非対称となるとされている。
【０００４】
そこで、本出願人は、圧痛点による左右対称および左右非対象型測定用図表を利用して、各種疾患の治療の前段階として被検査者の人体の左右対称性を測定する発明を提案した（特許文献１参照）。
【０００５】
この特許文献１によれば、被検査者の左右対称性および左右非対称性を容易に、かつ正確に求めることができ、その検査結果に基づいて治療を施すことができる。
【０００６】
【特許文献１】特公平５−５６９０１号公報
【発明の開示】
【発明が解決しようとする課題】
【０００７】
しかし、上記特許文献１では、圧痛点による左右対称および左右非対象型測定用図表を利用して、各種疾患の治療の前段階として被検査者の人体の左右対称性を測定しているが、治療そのものに利用できるものではない。
一方、筋を伸ばしたり、マッサージしたりする治療院があるが、通院のための時間や費用等がかかったり、治療者の能力の個人差があることから気軽に利用できないものである。
そのため、必要なときに、簡単に利用することができる椅子を利用して、個人でも容易に、筋の異常緊張あるいは異常収縮を防止することができ、健康に役立てることができるようなものが要望されている。
【０００８】
本発明の目的は、必要なときに個人でも簡単に利用することができるとともに、筋の異常緊張あるいは異常収縮を防止することができ、健康の維持および増進を図る椅子を提供することを目的とする。
【課題を解決するための手段】
【０００９】
上記の目的を解決するために、本発明の請求項１に記載の椅子１は、使用者が着座する着座部１０と、この着座部１０を支持する脚体２０と、上記着座部１０の後端部に設けられ段階的に起伏位置調整可能な背凭れ部３０とを備えた椅子であって、
上記背凭れ部３０が上記着座部１０に対して起伏可能とされ、
上記着座部１０には、その前部側に配置された左右一対の前部補助脚４２および後部側に配置された左右一対の後部補助脚４３から成る補助脚体４０が設けられ、上記前部補助脚４２の間には、着座した使用者の両足首の甲部を掛止する棒状の掛止部４４が横架され、上記後部補助脚４３は、その下端部が上記前部補助脚４２から後方に離れる方向に傾斜状に構成されて成り、
上記背凭れ部３０の上部裏面には、上端に後頭部を押当てる枕５３を設けたヘッドレスト５０が上下位置調整可能、且つ着脱可能に設けられ、上記ヘッドレスト５０は、使用者側に向く前面に使用者の頚椎を押圧する所定配置の複数の凸形筋押圧具５１が突設され、最下位置では上記背凭れ部３０の上端に形成された凹溝２７内に位置するまで下降するように構成され、更に上記背凭れ部３０の一方の側端面にはアームレスト６０が上下に揺動可能に設けられ、このアームレスト６０は、上記側端面に一端が水平な軸状の取付け具６５を介して揺動可能に支持される支持部６１Ｂと、この支持部６１Ｂの他端から上記着座部１０と略平行に折曲し先端に枕６２を設けたアーム部６１Ａとにより平面視Ｌ字形に形成されて成り、上記アーム部６１Ａが下方位置に揺動したとき、このアーム部６１Ａの枕６２が使用者の胸部前面の上方に保持され、上記使用者の前頭部を載せることができるようになっていることを特徴とする椅子１。
上記の椅子によれば、使用者が骨盤を水平にして着座部１０に着座し、足首の甲を補助脚体４０における前部補助脚４２の掛止部４４に掛止しておいて、上半身を反らして、後方に所定角度倒した状態の背凭れ部３０に上半身をあずけるようにして使用される。また、ヘッドレスト５０を使用する場合は、その凸形筋押圧具５１により、頚椎両側の胸鎖乳突筋と後頭部を自分自身で強さを加減しながら押圧する。ヘッドレスト５０を単独で使用する場合は、椅子１から取り外して例えば部屋の床面に置き、凸形筋押圧具５１上に仰向けになった使用者の頭部と頸部とを乗せて、左右に振りつつ自分で強さを加減しながら使用する。
【００１０】
更に、上記背凭れ部３０の一方の側端面にはアームレスト６０が上下に揺動可能に設けられ、このアームレスト６０は、上記側端面に一端が水平な軸状の取付け具６５を介して揺動可能に支持される支持部６１Ｂと、この支持部６１Ｂの他端から上記着座部１０と略平行に折曲し先端に枕６２を設けたアーム部６１Ａとにより平面視Ｌ字形に形成されて成り、上記アーム部６１Ａが下方位置に揺動したとき、このアーム部６１Ａの枕６２が使用者の胸部前面の上方に保持され、上記使用者の前頭部を載せることができるようになっていることを特徴とする椅子１である。
上記の椅子によれば、アームレスト６０は、上記アーム部６１Ａを下方位置に揺動したとき、このアーム部６１Ａの枕６２が使用者の胸部前面の上方に水平に保持され、上記使用者が前頭部を上記アーム部６１Ａの枕６２に乗せて使用される。
【発明の効果】
【００１１】
本発明は以下の効果を奏する。
【００１２】
請求項１に記載の発明によれば、足首の甲を補助脚体における前部補助脚の掛止部に掛止しておいて、上半身を反らして、後方に所定角度倒した状態の背凭れ部に上半身をあずけるようにして使用することで、人体の前側の筋肉と靭帯とが全身的に伸展されると同時に、後側の筋肉と靭帯とが弛緩される。その結果、筋系（筋機能）の働きが誘発され、筋肉と骨格関節とが正常に整えられるので、例えば手を挙げた状態から急に力を抜いて手を下ろした瞬間に生ずる脱力感が得られ、自然体が得られる。また、筋の異常緊張あるいは異常収縮を防止することができるので、疲労回復を図ることができ、筋肉の疲労をとり、血流をよくし、神経痛や筋肉痛を緩和する等、健康の維持および増進が図れるようになる。また、ヘッドレストを使用する場合は、後頭部と頚椎両側の筋肉の異常緊張と硬縮とを弛緩させることができるので、筋肉を改善させることができ、また、肩甲間部と脊椎両側の筋肉を押圧することができるので、局所の筋肉の異常緊張と硬縮とを弛緩させて筋肉を改善することができる。
【００１３】
更に、使用者の胸部前面の上方に水平に保持されたアームレストのアーム部の枕に前頭部を載せ、首と肩の筋肉を瞬間脱力して軽く目をつぶると、首と後背筋とが伸展するので、脳内と首と後背部の筋肉の緊張が消滅し、睡眠が誘発される。
【発明を実施するための最良の形態】
【００１４】
本発明の一実施例を以下に説明する。
【実施例１】
【００１５】
図１〜図９には椅子１の一実施例が示されている。図１は本発明に係る椅子の一実施例を示す全体斜視図、図２は上記実施例の全体側面図、図３は上記実施例の要部を示す斜視図、図４は、椅子の一実施例として肘掛けのヒンジ部を示す部分拡大斜視図、図５（Ａ）は肘掛けのストッパ部材を示す詳細構造を示す拡大断面図、（Ｂ）は肘掛けのヒンジ部を示す部分拡大正面図、図６は上記実施例の要部を示す正面側から見た斜視図、図７は上記実施例の要部を示す裏面側から見た斜視図、図８（Ａ）はヘッドレストを引上げた状態を示す説明図、（Ｂ）はヘッドレストを押し下げた状態を示す説明図、図９は上記実施例の他の要部を示す斜視図である。
【００１６】
図１、図２に示すように、椅子１は、使用者が着座する着座部１０と、この着座部１０を支持する脚体２０と、着座部１０の後端部に設けられ使用者の背中を支える背凭れ部３０と、着座部１０の下面にもうけられる補助脚体４０とを備えて構成されている。
【００１７】
着座部１０は平坦状に形成された筐体（不図示）を備え、この筐体を布や合成樹脂等で包み込んで本体部１１Ａが形成され、この本体部１１Ａの表面部１１Ｂは、例えば合成皮革等で覆われており、着座部１０の左右両側の側面には、肘掛け１３が設けられている。
【００１８】
肘掛け１３は、詳細は後述するがヒンジ（図３、図４参照）を介して下方に折り畳み可能に構成されており、背凭れ部３０の上端には底面２８を有する収納溝２７が設けられており、この収納溝２７を設けることによってヘッドレスト５０（後述する）が下方に移動できるようになっている。
【００１９】
上記脚体２０は、上記着座部１０を受ける受部２１と、この受部２１の下面から下方に延びた脚柱２２と、この脚柱２２の下端から下方側四方に延びた支持脚２３と、これらの支持脚２３の下面に取付けられたストッパ付キャスタ２４とから構成され、上記補助脚体４０を使用していないときは、全方向に移動可能となっている。受部２１は、合成樹脂等で例えばお椀形に形成され、上記着座部１０の裏面に固着されている。
【００２０】
図３に示すように、上記補助脚体４０は、例えば丸パイプで枠組み形成されており、平面四角枠状の上枠４１と、この上枠４１の一辺両角部から下方に延びた２本の前部補助脚４２と、上枠４１の他の一辺両角部から下方に延びた２本の後部補助脚４３とを含み構成されている。
【００２１】
前部補助脚４２および後部補助脚４３は、それぞれ正面視で２本の下端部が上端部に対して拡開したハ字状に形成されている。また、前部補助脚４２と後部補助脚４３も、外側に拡開した側面視ハ字状に形成されており、特に後部補助脚４３の下端側は、上端側に対して前部補助脚４２から離れる方向に傾いており、着座部１０の上枠４１に対する開き角度αは例えば１００度〜１２０度の範囲で形成されている。
【００２２】
一対の前部補助脚４２，４２間には、掛止部である横棒４４が横架されており、この横棒４４に、使用者が着座部１０に着座した状態で足首から先を横棒４４の下を通して絡めることができるようになっている。この横棒４４には、図示しないがラバー等が被覆されており、足首から先を絡めたとき痛みのないように構成されている。また、横棒は一対の前部補助脚４２，４２の開きを防止する補強材を兼ねている。一対の後部補助脚４３，４３間にも補強用の横棒４４が横架されている。
【００２３】
以上のような補助脚体４０は、着座部１０の筐体裏面に上枠４１をねじ止め等により取付けられており、補助脚体４０の前部補助脚４２は、ヒンジ機構４６により後部補助脚４３側に折畳み可能とされ、後部補助脚４３は、ヒンジ機構４６により背凭れ部３０側に折畳み可能とされている。そして、前部補助脚４２および後部補助脚４３は、折畳まれたとき着座部１０の裏面ないし背凭れ部３０の裏面に、それぞれ図示しない保持具により保持されている。
【００２４】
上記背凭れ部３０は、ラチェット機構、ばね等の付勢手段等を利用した公知の構成により、図２に示すように、ほぼ水平な着座部１０に対して、Ａ位置の垂直位置から、例えば３０度毎にＢ，Ｃ位置に３段階に起伏位置が調整可能となっている。なお、上記背凭れ部３０の起伏は水平状態まで傾動させても良く、段階ごとでなく連続的に傾動させることもできる。
【００２５】
図４及び図５（Ｂ）には、肘掛け１３のヒンジ部３４が示されており、ヒンジ部３４は、着座部１０の両側端に設けた肘掛け１３を垂直な起立位置から着座部１０の下方に折り畳み可能に構成している。このヒンジ部３４は、公知の例えば兆番により着座部１０両側の下面と肘掛け１３の下端面を回動可能に接続している。
【００２６】
図５（Ａ）には、肘掛け１３のストッパ部材３５を示す詳細構造が示されており、ストッパ部材３５は、両肘掛け１３前方のヒンジ部３４近傍に設けられており、次のように構成されている。
【００２７】
着座部１０の両側端面には、平面視Ｌ字形のブラケット３５が固定されており、このブラケット３５一端の折曲部には、嵌挿孔３６Ａを穿設したブロック体３６が溶接またはネジなどで固定されており、この嵌挿孔３６Ａには大径の軸体３８が前後方向に移動可能に挿通保持されている。
【００２８】
軸体３８の後端（図５（Ａ）の右側）には、細径の係止軸３８Ａが形成されるとともに前方（図５（Ａ）の左側）には細径の操作軸３８Ｂが形成され、この操作軸３８Ｂは、ブラケット３５の前面に固定されたコ字形板状のホルダ４７の挿通孔に挿通支持されている。ホルダ４７の内側には、操作軸３８Ｂを挿通したスプリングＳＰが内装されており、このスプリングＳＰは、ホルダ４７の内壁に対して軸体３８の前方に形成された段付き部を後方に押圧付勢している。
【００２９】
操作軸３８Ｂの前端には、例えばピンなどを介して摘み４８が取付けられており、摘み４８は、スプリングＳＰの作用で後方へ付勢される軸体３８の移動を、この摘み４８とホルダ４７と当接により規制している。
【００３０】
軸体３８後端の係止軸３８Ａは、両肘掛け１３が垂直状態に起立したとき両肘掛け１３の下端前面に埋め込まれた孔付きブッシュ３８の位置決め孔３９Ａに対応しており、スプリングＳＰの付勢力により挿嵌できるように構成されている。
【００３１】
このように構成することで、両肘掛け１３は、ストッパ部材３５の作用で垂直な起立状態に維持されており、摘み４８を前方に引くことにより係止軸３８Ａがブッシュ３８の位置決め孔３９Ａから抜出されることで、両外側に回動し着座部１０の略垂直下方に倒れる。
【００３２】
図６、図７にはヘッドレスト５０が示されており、このヘッドレスト５０は、背凭れ部３０の上部裏面に上下に移動可能、且つ着脱可能に設けられている。
このヘッドレスト５０は、前面に複数の凸形筋押圧具５１を取付けた本体５２を備えており、この本体５２の下部にはスライド部５２Ａが形成されている。スライド部５２Ａの厚さは、本体５２の厚さより薄く形成されている。
【００３３】
そして、ヘッドレスト５０の本体５２は、図８の（Ａ）、（Ｂ）に示すように、背凭れ部３０の上端に形成された凹溝２７内で下方へ移動可能となっており、最下部まで移動したときは少なくとも本体５２の上端面までは挿入可能であって、上記本体５２とスライド部５２Ａとの段差部５２Ｂが背凭れ部３０の凹溝２７底面２８に載せられた状態で保持される。この位置でヘッドレスト５０は上記と同様に固定具５７に固定することができる。
【００３４】
このように、ヘッドレスト５０の本体５２を凹溝２７内まで下降させることで、凸形筋押圧具５１が使用者の首の頚部だけではなく、背中の脊柱両側の筋も押圧することができる。
【００３５】
詳しくは、凸形筋押圧具５１は、上述のように、本体５２の前面に設けられ、縦方向に２列に３個ずつ所定間隔をおいて配置されている。凸形筋押圧具５１は、軸部５１Ａの一端に先端が丸くなったどんぐり状の押圧部を呈し、これら凸形筋押圧具５１は、使用者の頚椎から肩の上部に押し当てられ、頚椎等を押圧できるようになっており、この凸形筋押圧具５１は、その軸部５１Ａを本体５２の所定位置に形成された嵌合孔に挿嵌されて取付けられている。なお、凸形筋押圧具５１は、大きさが異なる複数種類が準備され、体格差等に対応して適宜使い分けできるようにすることもできる。
【００３６】
ヘッドレスト５０の本体５２の上端部には、後頭部を押当てる枕５３が設けられている。この枕５３は、表面がビニール、あるいは合成皮革等で覆われて丸みを帯びた矩形状に形成され、その内部には布や綿等が収容されている。そして、この枕５３は、前面が本体５２の前面からわずかに後方位置に設けられ、後頭部を枕５３に押し当てた状態でも、頚椎等が凸形筋押圧具５１に確実に当るようになっている。
【００３７】
ヘッドレスト５０は、前述のように、背凭れ部３０に対して着脱可能となっている。すなわち、図６に詳細を示すように、背凭れ部３０の上部裏面には、取付け部材５５が固着されており、この取付け部材５５には、縦方向に背凭れ部側のみが開口する溝５５Ａが形成されており、溝５５Ａの上方には３個の貫通孔５５Ｂが背凭れ部３０側に向けて形成され、これらの貫通孔５５Ｂは、ヘッドレスト５０を固定する固定具５７のネジ軸５７Ａが挿通可能となっている。
【００３８】
これに対して、ヘッドレスト５０のスライド部５２Ａは、上記溝５５Ａにスライド自在に嵌込むようになっている。ヘッドレスト５０の背面には、例えば３個の挿通ネジ孔５５Ｂが縦方向に所定間隔で螺設されている。これらの挿通孔５２Ｂは、それぞれの位置で上記取付け部材５５の１個の挿通孔５２Ｂと一致するようになっており、これら３個の貫通孔５２Ｂを挿通した固定具５７のネジ軸５７Ａは、ヘッドレスト５０の背面に螺設した３個の挿通ネジ孔５５Ｂの何れか１つと選択的に螺合できるように構成されている。
【００３９】
固定具５７は、上記ネジ軸５７Ａとその先端の摘み部５７Ｂとで形成され、ネジ軸５７Ａには雄ねじが螺設されている。そして、このねじをヘッドレスト５０の背面に螺設した３個の挿通ネジ孔５５Ｂに選択的に螺合することで、ヘッドレスト５０の高さ位置を調整可能として固定することができる。
【００４０】
なお、３個の挿通孔５２Ｂを１個のネジ孔として形成すれば、この挿通孔５２Ｂにネジ軸５７Ａを螺合してヘッドレスト５０の背面を押圧することで、任意の高さ位置にヘッドレスト５０をネジ軸５７Ａの押し付け力で固定することができる。
【００４１】
背凭れ部３０の一方側側面の上部には、図９に詳細を示すように、アームレスト６０が取付けられている。アームレスト６０は、例えば角パイプ部材で形成され、水平アーム部６１とその先端の枕６２とを含み構成されている。水平アーム部６１は、上記着座部１０と略平行なアーム部６１Ａと、背凭れ部３０の一方側側面に取付けられる支持部６１Ｂとを有して平面視Ｌ字状に形成されている。
【００４２】
枕６２は、内部に布、綿等を詰め込んだビニールまたは合成皮革等で形成されており、椅子１の使用者が、前頭部、つまり額を乗せたとき、心地よい感触が得られるようになっている。また、枕部の内部にはイヤホン６４が設けられており、スイッチを押すことで、例えば腹式呼吸を誘導する話しが聞けるようになっている。そのため、その話しを聞いていることで脳のリラックスを図ることができる。なお、癒し系の音楽等を聴けるようにしてもよい。
【００４３】
アームレスト６０の上記支持部６１Ｂは、取付け具６５によって背凭れ部３０の側面に、上下方向に揺動可能に取付けられている。取付け具６５は、摘み部６５Ａと軸部６５Ｂとで形成され、支持部６１Ｂにあけられた貫通孔６１Ｃに、軸部６５Ｂを嵌入させ、軸部６５Ｂの先端部に形成された雄ねじを、背凭れ部３０に螺設された図示しない雌ねじに螺合させて固定するようになっている。
【００４４】
このとき、軸部６５Ｂには、支持部６１Ｂを挟んで配置されたバネ座金６６が介在されており、摘み部６５Ａを僅かに回して取付け具６５を緩めても、取付け具６５は背凭れ部３０から外れないようになっている。したがって、取付け具６５を緩めてアームレスト６０を上下方向に揺動させることができ、アームレスト６０は取付け具６５を締め込むことで所定の位置で固定することができる。
【００４５】
図１、図２に戻って、上記背凭れ部３０の下部における裏面にはベルト収容箱３１が設けられており、このベルト収容箱３１には、例えば車のシートベルトと同様に伸縮自在のベルト３２が引出し自在に収容されている。ベルト３２は、背凭れ部３０の裏面から左右に引出され、それぞれの端部に装着されたバックル３３を係合させることで、着座部１０に着座した使用者の腹部に巻付けることができるようになっている。なお、バックル３３の位置も使用者の体格に対応させて調整することができる。
【００４６】
また、後述する図１０に示すように、上記着座部１０のやや前方側裏面には、紐収容箱１１が設けられており、この紐収容箱１１には、紐部材として、上記ベルト３２と同様のベルト１２が引出し自在に収容されている。ベルト１２は、着座部１０の裏面から左右に引出され、着座部１０に着座した使用者の２本の膝上に回した後、それぞれの紐の先端を引出した方向とは反対側の膝部の裏側を互いに交差させて再度膝上まで回し、そこでベルト１２を結び、使用者の２本の膝を着座部１０に、ひいては椅子１に固定させることができるようになっている。
【００４７】
なお、使い方は自由であり、着座部１０の裏面から左右に引出されたベルト１２を、膝上で直接バックル３３で係合させてもよい。また、紐部材としては、例えば木綿製の紐で形成してもよい。
【００４８】
次に、以上のような構成の椅子１の使用方法を、図１０〜図１３に基づいて図１４〜図２１の人体骨格図を併せて参照しながら説明する。
【００４９】
図１０は、第１の使用方法として、背凭れ部３０を、着座部１０に対して所定角度（例えば１５０度）倒して使用した状態、図１１は、第２の使用方法として、背凭れ部３０を起こしておいてアームレスト６０を使用した状態、図１２は、第３の使用方法として、背凭れ部３０を例えば１２０度に倒して腹筋運動をする状態図である。
【００５０】
図１３は、人体の前側の筋肉を示す。人体の胸部には、胸の筋肉の中心となり、腕の描円運動、腕を外側から中心に向かって引付ける動作等を行なう大胸筋１０１と、大胸筋１０１の下方に位置し、肩甲骨を内下方に引き、肩甲骨が固定されているときは、肋骨を挙上して吸気を助ける小胸筋１０２等があり、体幹部に沿った位置には、腹腔臓器を保護するとともに、腹圧の維持と臓器の位置の固定、さらに腹圧を増し、排便等の動きに働く腹直筋１０３等がある。また、首部には、僧帽筋、頭半棘筋等とともに、頸部を屈曲させ、側屈を回避させる胸鎖乳突筋１０４がある。
【００５１】
図１４は、人体の後側の筋肉を示す。頭部１０５の下部には上記胸鎖乳突筋１０４があり、脊椎１０６の両側には、主に体幹部を伸展（後屈）させる脊椎起立筋１０７が縦走している。肩関節の内展、伸展、内旋動作等を行なう後背筋１０８は、僧帽筋１０９の下方に位置し、後背筋１０８の下方には骨盤１１０がある。
【００５２】
図１５は、大腿部の前側の筋肉を示す。大腿部の上部には、股関節の内旋・外転、膝関節の外旋のような動きに関与し、大腿が固定している場合は、骨盤を後方に引いて体を直立の姿勢に保つ働きをする大腿筋膜張筋１１１があり、そのすぐ近くには、股関節の屈曲、膝関節の伸展等を行なう大腿直筋１１２がある。
【００５３】
図１６は、大腿部の後側の筋肉を示す。臀部の部位には、臀部を覆うとともに、股関節を伸展、外転、内旋等をさせる大臀筋１１３があり、その下方には、主に股関節の伸展、膝関節の屈曲等に働く大腿二頭筋１１４がある。
【００５４】
図１７は、腰部の筋肉を示す。骨盤１１０を含む腰部には腸腰筋１１５があり、腸腰筋１１５は大腰筋１１７、小腰筋１１８を含む。この腸腰筋１１５は、人体前面の大腿直筋１１２と大腿筋膜張筋１１１を伸展し、同時に腹直筋１０３と腹筋、胸筋と前頚筋等を伸展させる働きをする。
【００５５】
図１８は、大腿骨頭股頚軸と大腿骨との関係を示す。大腿骨１１９の大腿骨頭股頚軸１２０は、骨盤１１０に、水平に対して角度βで嵌り合っている。この角度βは約１３０度であり、立位姿勢の日本人の基準角度である。
【００５６】
図１９は、膝関節を示す。図１９（Ａ）では、膝関節が、関節頭１２１と関節窩１２２とが互いに外側に向いた外反角（Ｘ型）となっている。これに対して図１９（Ｂ）では、内反角（Ｏ型）になっている膝関節を改善した場合で、正常な関節頭１２１と関節窩１２２との位置を示す。
【００５７】
まず、図１０を参照して第１の使用方法を説明する。
【００５８】
体を大きく伸展させたいときは、補助脚体４０の前部補助脚４２と後部補助脚４３とを開くとともに、背凭れ部３０を起こしておいて、使用者が椅子１に骨盤が水平になるように着座し、腹部にベルト３２を巻付けて背凭れ部３０に固定し、ベルト１２で膝を巻いて着座部１０に固定する。
【００５９】
次いで、足首から先を図１０に２点鎖線で示すように、前部補助脚４２の内側に入れて横棒４４の下方を通して外側へ出し横棒４４に絡める。この状態で、背凭れ部３０を例えば１５０度位まで倒し、上半身を大きく反らして伸展させる。この際、腹式呼吸を行なうと好適である。
【００６０】
上半身を大きく反らして伸展させると同時に、凸形筋押圧具５１で、図１４に示す頚椎両側の胸鎖乳突筋１０４と後頭部１０５とを、自分で頭部と頸部とを左右に振りながら、強さを加減して押圧する。また、図１５〜図１７に示す大腿直筋１１２と大腿筋幕直筋１１１とを伸展させ、腸腰筋１１５と腹直筋１０３、胸筋等を伸展させ、同時に脊椎前縦靭帯１００を伸展させる。そして、下腹部の筋肉を上方に伸展させて下垂していた腹腔内臓器を引上げ、正常位置に保定させる。一方、体の後面の脊椎起立筋１０７と後背筋１０８等を弛緩させる。
【００６１】
以上のような実施形態の第１の使用方法によれば、次のような効果が得られる。
【００６２】
（１）椅子１に着座し、足首から先を前部補助脚４２の内側に入れて横棒４４の下方を通し外側へ出し横棒４４に絡める。この状態で、上半身を後方に反らすと、人体の前側の大腿直筋１１２、大腿筋膜張筋１１１、腸腰筋１１５、腹直筋１０３、大胸筋１０１等の筋肉と、脊椎前縦靭帯１００等の靭帯とが全身的に伸展すると同時に、人体の後側の脊椎起立筋１０７、後背筋１０８等の筋肉と靭帯とを弛緩させ、筋系の働きを誘発する。その結果、筋肉と骨格関節が正常に整えられるようになり、疲労回復を図ることができ、筋肉の疲労をとり、血流をよくし、神経痛や筋肉痛を緩和する等、健康の維持と増進とを図ることができる。
【００６３】
（２）椅子１に着座し、足首から先を横棒４４の下を通して横棒４４に絡めた状態で、上半身を後方に反らすと、人体の前側の各種筋肉と、靭帯とが全身的に伸展するので、下腹部の筋肉を上方に伸展させて下垂していた腹腔内臓器が引上げられ、正常位置に保定させることができる。その結果、下腹部とウェストが細くなり、スタイルがよくなる。
【００６４】
（３）上半身を後方に反らすことにより、全身的に前側筋と脊椎前縦筋靭帯１００が伸展されると、胸部が開きやすくなり、両肩を後に引きやすくなるために、両肩関節と両肩甲骨の可動域が正常になる。その結果、両肩と後背筋１０８とが弛緩し、筋肉の異常緊張と硬縮や偏在がなくなり、正常な筋肉に戻るため、血液やリンパ液の流れがよくなり、頭痛や吐き気までも催すほどの極めて重症な肩こりが改善される。また、コンピュータ社会における目や脳、両腕の疲れ、催眠苦、頭が重い、首や肩の凝り、円背になる等を総称する仮称「コンピュータ症候群」を改善することができる。
【００６５】
（４）椅子１の背凭れ部３０の下部にある伸縮自在のベルト３２を使用者の腹部に巻付けることができるので、巻付けた状態で、腹式呼吸を行ないながら上半身を伸展させると、腹圧運動を強化することができる。
【００６６】
（５）椅子１の着座部１０に着座して、ベルト１２で使用者の両膝上部を縛った状態で、上半身を後に反らすと、両膝が開かないので、股関節を正常な位置に維持することができ、図１８に示すように、股関節の大腿骨股頚軸１２０に対する大腿骨１１９の角度を日本人の基準とされている１３０度の角度になるように、筋肉と靭帯とを整えることができる。その結果、股関節を正常な状態に維持することができる。
【００６７】
（６）椅子１の着座部１０に着座したとき、両膝はベルト１２で縛られているので、図１９に示すように膝関節が外反角（Ｘ型）となる。したがって、内反角（Ｏ型）になっている膝関節の場合には、内側の関節面が開くので、膝関節の変形が改善され、予防することが可能となる。その結果、膝関節痛の改善と美脚になることができる。
【００６８】
（７）補助脚体４０の前部補助脚４２と後部補助脚４３とを折畳んでおけば、補助脚体４０が邪魔とならず、また、脚体２０にキャスタ２４が取付けられているので、容易に全方位に移動することができるとともに、一般事務用椅子として、また家庭用椅子として使用することができる。
【００６９】
（８）補助脚体４０は、後付で通常の椅子に取付けることができる。したがって、いつでも、かつどこでも使用することができる椅子に補助脚体４０を取付けることで、通常の椅子を、容易に健康維持のための椅子１として改良することができ、また、使用することができる。
【００７０】
（９）使用者は、椅子１に着座し、足首の甲を横棒４４に引掛けておいて、上半身を後方に反らし、上半身を倒されている背凭れ部３０にあずけるだけで使用することができるので、一般事務，民間療法、癒しと美容目的の業界、フィットネスクラブ、会社の福利厚生用等として利用することができ、また、小学生から老齢者まで容易に使用することができる。
【００７１】
次に、図１１に基づいて第２の使用方法を説明する。
【００７２】
補助脚体４０の前部補助脚４２と後部補助脚４３とを開くとともに、背凭れ部３０を起こしておいて、使用者が椅子１に骨盤が水平になるように着座し、腹部にベルト３２を巻付けて背凭れ部３０に固定し、さらにベルト１２で膝を巻いて着座部１０に固定する。そして、アームレスト６０を揺動させて所定の高さ位置に固定する。その後、前頭部（額）を、アームレスト６０の枕６２の上に乗せて、首と肩の筋肉を瞬間脱力して軽く目をつぶる。このとき、イヤホン６４を耳にはめて、腹式呼吸を誘導する話しを聞くようにする。なお、この状態で足首から先を図１１に２点鎖線で示すように、前部補助脚４２の内側に入れて横棒４４の下方を通し外側へ出し横棒４４に絡めてもよいし、これを絡めずにただ下ろしておくだけでもよい。
【００７３】
以上のような実施形態の第２の使用方法によれば、上記（４）、（６）〜（９）と同様の効果の他、次のような効果が得られる。
【００７４】
（１０）前頭部（額）を、アームレスト６０の枕６２の上に乗せて、首と肩の筋肉を瞬間脱力して軽く目をつぶると、図１４に示す首と後背筋１０８等が伸展するため、脳内と首と後背部の筋肉の緊張が消滅し、睡眠を誘発することができる。
【００７５】
（１１）前頭部を、アームレスト６０の枕６２の上に乗せた後、イヤホン６４を耳にはめれば、アームレスト６０の枕６２の内部から流れる腹式呼吸の誘導の言葉が聞こえるので、脳のリラックスを図れるとともに、短時間の深い熟睡状態に入ることができる。
【００７６】
（１２）イヤホンの音声による腹式呼吸法の誘導により、下腹部への注意力が一定（集中）し、脳から下腹部へと血流がよくなるために、催眠が起こり睡眠不足を解消し脳をリラックスさせることができるとともに、腹式呼吸法により下腹部の腹直筋が活動するため、呼吸運動と同時に大腸の運動が行なわれ、その結果、便通がよくなる。
【００７７】
次に、図１２を参照して第３の使用方法を説明する。
【００７８】
補助脚体４０の前部補助脚４２と後部補助脚４３とを開くとともに、背凭れ部３０を例えば１２０度まで倒しておいて、使用者が椅子１に骨盤が水平になるように着座し、ベルト１２で膝を巻いて着座部１０に固定する。次いで、足首の甲を前部補助脚４２の横棒４４に引掛ける。その姿勢から、上半身を背凭れ部３０に接触するまで倒し、今度は着座部１０に近づけるように起こし、その動作を繰り返し、腹筋運動を行なう。なお、この運動の際には、ベルト３２は腹部に巻付けず、ベルト収容箱３１内に収容しておく。
【００７９】
以上のような実施形態の第３の使用方法によれば、上記（４）、（６）〜（９）と同様の効果の他、次のような効果が得られる。
【００８０】
（１３）使用者が着座部１０に着座した状態で、背凭れ部３０を所定角度倒しておけば、足首から先を図１２に２点鎖線で示すように、前部補助脚４２の内側に入れて横棒４４の下方を通して外側へ出し横棒４４に絡めて、上半身を倒したり、起こしたりする腹筋運動を行なうことができる。これにより、図１３〜図１７に示す大腿直筋１１２と大腿筋膜張筋１１１とを伸展させたり弛緩させたりする。また、腸腰筋１１５と腹直筋１０３、大胸筋１０１、小大胸筋１０２、脊椎前縦靭帯１００等を伸展させたり弛緩させたりする。これらの運動が繰り返されるので、腹筋の強化、後背筋の強化を図ることができる。さらに、下腹部の筋肉を上方に伸展するために、下垂していた腹腔内臓器が引上げられ、正常位置に保定される。その結果、下腹部とウェストが細くなり、スタイルがよくなる。
【００８１】
なお、本発明は前述の実施例に限定されるものではなく、例えば、上記実施例では、ヘッドレスト５０の凸形筋押圧具５１が一つの本体５２に、縦方向に２列となって３個づつが並んだ構成となっていたが、これに限らず、凸形筋押圧具５１の横方向の距離を調整することができる図２０に示すような構成としてもよい。
【００８２】
図２０は、ヘッドレストの変形例を示す斜視図である。すなわち、図２０に示すヘッドレスト７０は、３個づつの凸形筋押圧具５１が、それぞれ固定本体部７１と移動本体部７２とに設けられた構成とされ、移動本体部７２が矢印Ｘの横方向に移動できるようになっている。これらの固定本体部７１と移動本体部７２とは側面視Ｌ字形のスライド部７３の上面平面部７３Ａに載せられている。
【００８３】
上面平面部７３Ａの一端側端部には、移動本体部７２が最大限移動したとき当接するストッパ枠７５が取付けられ、上面平面部７３Ａの一端側端部と直交する２つの平行な端部には、ストッパ枠７５の両端に連続するガイド枠７４が設けられている。このガイド枠７４は、移動本体部７２の凸形筋押圧具５１を取付けた面と、その反対側の面に接触し、移動本体部７２が移動する際のガイドとされている。
【００８４】
移動本体部７２の移動は、駆動摘み７７を回すことにより行われる。駆動摘み７７は、大きな外径の摘み部７７Ａと、ねじ軸７７Ｂとで形成され、ねじ軸７７Ｂは、移動本体部７２の雌ねじと螺合され、ねじ軸７７Ｂの先端は固定本体部７１に回転可能で且つ抜けないように挿嵌されている。
【００８５】
また、移動本体部７２には、駆動摘み７７を挟んで上下位置に、駆動摘み７７と平行な２個の貫通孔７２Ａが形成されており、これらの貫通孔７２Ａには、固定本体部７１に固定されたガイド棒７６が挿通されている。したがって、駆動摘み７７を回すと、移動本体部７２が、その雌ねじと駆動摘み７７のねじ軸７７Ｂとの螺合で、ガイド枠７４、および２本のガイド棒７６でガイドされながら横方向に移動し、最大限移動したとき、ストッパ枠７５に当接して停止する。なお、特に、図示はしないが、固定本体部７１と移動本体部７２とを移動可能に構成し、両本体部７１，７２の外側とストッパ枠７５の間に圧縮ばねを介装し、ねじ軸７７Ｂの両端に逆ねじを形成して両本体部７１，７２に形成された雌逆ねじと螺合させることで、両本体部７１，７２は中心に対し接近、離反することで、３個づつ列設した凸形筋押圧具５１の間隔を調整することができる。また、図２０には示さないが、上記枕５３と同様の枕は固定本体部７１と移動本体部７２とに跨がって設けられ、枕の下面に、移動本体部７２が移動できるような窪み部（ガイド溝）を形成しておけばよい。この実施例によれば、個人差に対応することができる。
【００８６】
また、上記実施例では、ヘッドレスト５０は背凭れ部３０に取付けて使用されているが、これに限らず、図２１に示すように、背凭れ部３０から取外して単独で使用してもよい。すなわち、椅子１の背凭れ部３０から取外したヘッドレスト５０を例えば室内の床の上に置き、使用者は仰向けに寝て、頭部と頸部とを乗せ、頭部と頸部とを左右に動かしながら強さを加減して使用する。また、図６〜図８で説明したように、ヘッドレスト５０の本体５２を凹溝２７内まで下降させることで、凸形筋押圧具５１が使用者の首の頚部だけではなく、背中の脊柱両側の筋も押圧することができる。
【００８７】
この実施例によれば、ヘッドレスト５０を、どこへでも容易に持ち運びすることができるので、好きな場所で使用することができる。また、例えば人が寝るスペースがあれば使用することができるので、狭い場所でも使用することができる。その結果、そのような場所でも、首の頚椎起立筋の異常緊張を弛緩し、脳内血管の圧迫と緊張とを改善することができるので、後頭部から首と肩と脊椎両側の後背筋の凝りと筋肉の異常緊張と硬縮とを容易に防止することができる。
【図面の簡単な説明】
【００８８】
【図１】本発明に係る椅子の実施形態を示す全体縦断面図である。
【図２】上記実施形態の椅子を示す側面図である。
【図３】上記実施例の要部を示す斜視図である。
【図４】椅子の一実施例として肘掛けのヒンジ部を示す部分拡大斜視図である。
【図５】（Ａ）は肘掛けのストッパ部材を示す詳細構造を示す拡大断面図、（Ｂ）は肘掛けのヒンジ部を示す部分拡大正面図である。
【図６】上記実施例のヘッドレストを正面側から見た斜視図である。
【図７】上記実施例のヘッドレストを裏面側から見た斜視図である。
【図８】（Ａ）はヘッドレストを引上げた状態を示す説明図、（Ｂ）はヘッドレストを押し下げた状態を示す説明図である。
【図９】上記実施形態のアームレストを前方から見た斜視図である。
【図１０】上記実施形態の椅子の第1の使用方法を示す説明図である。
【図１１】上記実施形態の椅子の第２の使用方法を示す説明図である。
【図１２】上記実施形態の椅子の第３の使用方法を示す説明図である。
【図１３】人体における前側の筋肉図である。
【図１４】人体における後側の筋肉図である。
【図１５】人体における大腿部の前側の筋肉図である。
【図１６】人体における大腿部の後側の筋肉図である。
【図１７】人体における腰部の筋肉図である。
【図１８】人体における大腿骨頭股頚軸と大腿骨との関係を示す概念図である。
【図１９】（Ａ）、（Ｂ）は、人体における膝関節を示す概念図である。
【図２０】ヘッドレストの変形例を示す斜視図である。
【図２１】ヘッドレストの他の使用例を示す説明図である。
【符号の説明】
【００８９】
１            椅子
１０          着座部
１１          紐収容箱
１１Ａ        本体部
１１Ｂ        表面部
１２          ベルト（紐部材）
１３          肘掛け
２０          脚体
２１          受部
２２          脚柱
２３          支持脚
２４          キャスタ
２７          収納溝
２８          底面
３０          背凭れ部
３１          ベルト収容箱
３２          ベルト
３３          バックル
３４          ヒンジ部
３５          ストッパ部材
３６          ブロック体
３６Ａ        嵌挿孔
３８          軸体
３８Ａ        係止軸
３８Ｂ        操作軸
３９          ブッシュ
３９Ａ        位置決め孔
４０          補助脚体
４１          上枠
４２          前部補助脚
４３          後部補助脚
４４          横棒（掛止部）
４６          ヒンジ機構
４８          摘み
５０          ヘッドレスト
５１          凸形筋押圧具
５１Ａ        軸部
５２          本体部
５２Ａ        スライド部
５２Ｂ        挿通孔
５３          枕
５５          取付け部材
５５Ａ        溝
５５Ｂ        貫通孔
５７          固定具
５７Ａ        ネジ軸
５７Ｂ        摘み部
６０          アームレスト
６１          水平アーム部
６１Ａ        アーム部
６１Ｂ        支持部
６１Ｃ        貫通孔
６２          枕
６４          イヤホン
６５          取付け具
６５Ａ        摘み部
６５Ｂ        軸部
６６          バネ座金
７０          ヘッドレスト
７１          固定本体部
７２          移動本体部
７２Ａ        貫通孔
７３          スライド部
７３Ａ        上面平面部
７４          ガイド枠
７５          ストッパ
７６          ガイド棒
７６          ストッパ枠
７７          駆動摘み
７７Ａ        摘み部
７７Ｂ        ねじ軸